(57)【要約】【課題】  Ｍｏｖｅ非対応再生装置によってＭｏｖｅ対応フォーマットの情報記録媒体に記録されたコンテンツを再生し、Ｍｏｖｅ対応再生装置によってＭｏｖｅ非対応フォーマットの情報記録媒体に記録されたコンテンツを再生すること。【解決手段】  情報記録媒体に記録された暗号化されたタイトル鍵情報Ｅ（Ｋｔｉ）を第１変調方式および第１誤り訂正符号化方式に対応する第１復調方式および第１誤り訂正復号化方式で再生する手段と、乱数ＭＭｉを用いて暗号化されたタイトル鍵情報Ｅ（Ｋｔｉ）をさらに暗号化することにより２重に暗号化されたタイトル鍵情報Ｅ２（Ｋｔｉ）を生成する手段と、第２暗号化鍵を用いて乱数ＭＭｉを暗号化することにより暗号化された乱数Ｅ（ＭＭｉ）を生成する手段とを備えたフォーマット変換装置。【選択図】  図１
2004158171.tif 000002
【特許請求の範囲】
【請求項１】
情報記録媒体のフォーマットを変換するフォーマット変換装置であって、
前記情報記録媒体には、暗号化され符号化されたタイトル鍵情報Ｅ’（Ｋｔｉ）が記録されており、前記情報記録媒体に記録された前記暗号化され符号化されたタイトル鍵情報Ｅ’（Ｋｔｉ）は、第１暗号化鍵を用いてタイトル鍵情報Ｋｔｉを暗号化することにより暗号化されたタイトル鍵情報Ｅ（Ｋｔｉ）を生成し、前記暗号化されたタイトル鍵情報Ｅ（Ｋｔｉ）を第１誤り訂正符号化方式および第１変調方式で前記情報記録媒体に記録することにより得られたものであり、
前記フォーマット変換装置は、
前記情報記録媒体に記録された前記暗号化され符号化されたタイトル鍵情報Ｅ’（Ｋｔｉ）を前記第１変調方式および前記第１誤り訂正符号化方式に対応する第１復調方式および第１誤り訂正復号化方式で再生し、前記暗号化されたタイトル鍵情報Ｅ（Ｋｔｉ）として再生する手段と、
乱数ＭＭｉを用いて前記暗号化されたタイトル鍵情報Ｅ（Ｋｔｉ）をさらに暗号化することにより２重に暗号化されたタイトル鍵情報Ｅ２（Ｋｔｉ）を生成する手段と、
第２暗号化鍵を用いて前記乱数ＭＭｉを暗号化することにより暗号化された乱数Ｅ（ＭＭｉ）を生成する手段と、
前記２重に暗号化されたタイトル鍵情報Ｅ２（Ｋｔｉ）を第１誤り訂正符号化方式および第１変調方式で前記情報記録媒体に２重に暗号化され符号化されたタイトル鍵情報Ｅ２’（Ｋｔｉ）として記録する手段と、
前記暗号化された乱数Ｅ（ＭＭｉ）を前記第１誤り訂正符号化方式および前記第１変調方式とは異なる第２誤り訂正符号化方式および第２変調方式で前記情報記録媒体に暗号化され符号化された乱数Ｅ’（ＭＭｉ）として記録する手段と
を備えたフォーマット変換装置。
【請求項２】
情報記録媒体のフォーマットを変換するフォーマット変換装置であって、
前記情報記録媒体には、２重に暗号化され符号化されたタイトル鍵情報Ｅ２’（Ｋｔｉ）と暗号化され符号化された乱数Ｅ’（ＭＭｉ）とが記録されており、前記情報記録媒体に記録された前記２重に暗号化され符号化されたタイトル鍵情報Ｅ２’（Ｋｔｉ）は、乱数ＭＭｉを用いて暗号化されたタイトル鍵情報Ｅ（Ｋｔｉ）をさらに暗号化することにより２重に暗号化されたタイトル鍵情報Ｅ２（Ｋｔｉ）を生成し、前記２重に暗号化されたタイトル鍵情報Ｅ２（Ｋｔｉ）を第１誤り訂正符号化方式および第１変調方式で前記情報記録媒体に記録することにより得られたものであり、前記情報記録媒体に記録された前記暗号化され符号化された乱数Ｅ’（ＭＭｉ）は、第２暗号化鍵を用いて前記乱数ＭＭｉを暗号化することにより暗号化された乱数Ｅ（ＭＭｉ）を生成し、暗号化された乱数Ｅ（ＭＭｉ）を前記第１誤り訂正符号化方式および前記第１変調方式とは異なる第２誤り訂正符号化方式および第２変調方式で前記情報記録媒体に記録することにより得られたものであり、
前記フォーマット変換装置は、
前記情報記録媒体に記録された前記２重に暗号化され符号化されたタイトル鍵情報Ｅ２’（Ｋｔｉ）を前記第１変調方式および前記第１誤り訂正符号化方式に対応する第１復調方式および第１誤り訂正復号化方式で再生し、前記２重に暗号化されたタイトル鍵情報Ｅ２（Ｋｔｉ）として再生する手段と、
前記情報記録媒体に記録された前記暗号化され符号化された乱数Ｅ’（ＭＭｉ）を前記第２変調方式および前記第２誤り訂正符号化方式に対応する第２復調方式および第２誤り訂正復号化方式で再生し、前記暗号化された乱数Ｅ（ＭＭｉ）として再生する手段と、
前記第２暗号化鍵を用いて前記暗号化された乱数Ｅ（ＭＭｉ）を解読することにより乱数ＭＭｉを生成する手段と、
前記乱数ＭＭｉを用いて前記２重に暗号化されたタイトル鍵情報Ｅ２（Ｋｔｉ）を解読することにより暗号化されたタイトル鍵情報Ｅ（Ｋｔｉ）を生成する手段と、
前記暗号化されたタイトル鍵情報Ｅ（Ｋｔｉ）を前記第１誤り訂正符号化方式および前記第１変調方式で前記情報記録媒体に暗号化され符号化されたタイトル鍵情報Ｅ’（Ｋｔｉ）として記録する手段と
を備えたフォーマット変換装置。
【請求項３】
前記暗号化されたタイトル鍵情報Ｅ（Ｋｔｉ）を生成する手段によって生成された前記暗号化されたタイトル鍵情報Ｅ（Ｋｔｉ）を第１暗号化鍵を用いて解読することにより前記タイトル鍵情報Ｋｔｉを生成する手段と、
前記第１暗号化鍵を用いて前記タイトル鍵情報Ｋｔｉを暗号化することにより前記暗号化されたタイトル鍵情報Ｅ（Ｋｔｉ）を生成する手段と
をさらに備えた、請求項２に記載のフォーマット変換装置。
【請求項４】
前記２重に暗号化されたタイトル鍵情報Ｅ２（Ｋｔｉ）と前記暗号化された乱数Ｅ（ＭＭｉ）とが生成され、前記情報記録媒体に記録された後に、前記暗号化され符号化されたタイトル鍵情報Ｅ’（Ｋｔｉ）が前記情報記録媒体から消去される、請求項１に記載のフォーマット変換装置。
【請求項５】
前記暗号化されたタイトル鍵情報Ｅ（Ｋｔｉ）が生成され、前記情報記録媒体に記録された後に、前記２重に暗号化され符号化されたタイトル鍵情報Ｅ２’（Ｋｔｉ）と前記暗号化され符号化された乱数Ｅ’（ＭＭｉ）とが前記情報記録媒体から消去される、請求項２に記載のフォーマット変換装置。
【請求項６】
前記暗号化されたタイトル鍵情報Ｅ（Ｋｔｉ）が生成され、前記情報記録媒体に記録された後に、前記暗号化され符号化された乱数Ｅ’（ＭＭｉ）が前記情報記録媒体から消去される、請求項２に記載のフォーマット変換装置。
【請求項７】
前記タイトル鍵情報Ｋｔｉは、前記情報記録媒体に記録されているコンテンツのＭｏｖｅを許可するか否かを示す許可・禁止情報を含む、請求項２に記載のフォーマット変換装置。
【請求項８】
前記タイトル鍵情報Ｋｔｉは、前記情報記録媒体に記録されているコンテンツ（Ｃｏｎｔｅｎｔ）のＭｏｖｅを許可するか否かを示す許可・禁止情報を含み、
前記フォーマット変換装置は、許可・禁止情報をＭｏｖｅ禁止に書き換える書き換え手段をさらに備えた、請求項３に記載のフォーマット変換装置。
【請求項９】
情報記録媒体にコンテンツ（Ｃｏｎｔｅｎｔ）を記録し、前記記録されたコンテンツ（Ｃｏｎｔｅｎｔ）を再生する情報記録再生装置であって、
第１暗号化鍵を用いてタイトル鍵情報Ｋｔｉを暗号化することにより暗号化されたタイトル鍵情報Ｅ（Ｋｔｉ）を生成する手段と、
前記タイトル鍵情報Ｋｔｉを用いて前記コンテンツを暗号化することにより暗号化されたコンテンツＥ（Ｃｏｎｔｅｎｔ）を生成する手段と、
前記暗号化されたタイトル鍵情報Ｅ（Ｋｔｉ）と前記暗号化されたコンテンツＥ（Ｃｏｎｔｅｎｔ）とを第１誤り訂正符号化方式および第１変調方式で前記情報記録媒体にそれぞれ暗号化され符号化されたタイトル鍵情報Ｅ’（Ｋｔｉ）と暗号化され符号化されたコンテンツＥ’（Ｃｏｎｔｅｎｔ）として記録する手段と、
前記情報記録媒体に記録された前記暗号化され符号化されたタイトル鍵情報Ｅ’（Ｋｔｉ）と前記暗号化され符号化されたコンテンツＥ’（Ｃｏｎｔｅｎｔ）とを前記第１変調方式および前記第１誤り訂正符号化方式に対応する第１復調方式および第１誤り訂正復号化方式でそれぞれ前記暗号化されたタイトル鍵情報Ｅ（Ｋｔｉ）と前記暗号化されたコンテンツＥ（Ｃｏｎｔｅｎｔ）として再生する手段と、
前記第１暗号化鍵を用いて前記暗号化されたタイトル鍵情報Ｅ（Ｋｔｉ）を解読することにより前記タイトル鍵情報Ｋｔｉを生成する手段と、
前記タイトル鍵情報Ｋｔｉを用いて前記暗号化されたコンテンツＥ（Ｃｏｎｔｅｎｔ）を解読することにより前記コンテンツ（Ｃｏｎｔｅｎｔ）を生成する手段と、
乱数ＭＭｉを用いて前記暗号化されたタイトル鍵情報Ｅ（Ｋｔｉ）をさらに暗号化することにより２重に暗号化されたタイトル鍵情報Ｅ２（Ｋｔｉ）を生成する手段と、
第２暗号化鍵を用いて前記乱数ＭＭｉを暗号化することにより暗号化された乱数Ｅ（ＭＭｉ）を生成する手段と、
前記２重に暗号化されたタイトル鍵情報Ｅ２（Ｋｔｉ）を第１誤り訂正符号化方式および第１変調方式で前記情報記録媒体に２重に暗号化され符号化されたタイトル鍵情報Ｅ２’（Ｋｔｉ）として記録する手段と、
前記暗号化された乱数Ｅ（ＭＭｉ）を前記第１誤り訂正符号化方式および前記第１変調方式とは異なる第２誤り訂正符号化方式および第２変調方式で暗号化され符号化された乱数Ｅ’（ＭＭｉ）として前記情報記録媒体に記録する手段と
を備えた情報記録再生装置。
【請求項１０】
情報記録媒体にコンテンツ（Ｃｏｎｔｅｎｔ）を記録し、前記記録されたコンテンツ（Ｃｏｎｔｅｎｔ）を再生する情報記録再生装置であって、
第１暗号化鍵を用いてタイトル鍵情報Ｋｔｉを暗号化することにより暗号化されたタイトル鍵情報Ｅ（Ｋｔｉ）を生成する手段と、
乱数ＭＭｉを用いて前記暗号化されたタイトル鍵情報Ｅ（Ｋｔｉ）をさらに暗号化することにより２重に暗号化されたタイトル鍵情報Ｅ２（Ｋｔｉ）を生成する手段と、
前記タイトル鍵情報Ｋｔｉを用いて前記コンテンツを暗号化することにより暗号化されたコンテンツＥ（Ｃｏｎｔｅｎｔ）を生成する手段と、
第２暗号化鍵を用いて前記乱数ＭＭｉを暗号化することにより暗号化された乱数Ｅ（ＭＭｉ）を生成する手段と、
前記２重に暗号化されたタイトル鍵情報Ｅ２（Ｋｔｉ）と前記暗号化されたコンテンツＥ（Ｃｏｎｔｅｎｔ）とを第１誤り訂正符号化方式および第１変調方式で前記情報記録媒体にそれぞれ２重に暗号化され符号化されたタイトル鍵情報Ｅ２’（Ｋｔｉ）と暗号化され符号化されたコンテンツＥ’（Ｃｏｎｔｅｎｔ）として記録する手段と、
前記暗号化された乱数Ｅ（ＭＭｉ）を前記第１誤り訂正符号化方式および前記第１変調方式とは異なる第２誤り訂正符号化方式および第２変調方式で前記情報記録媒体に暗号化され符号化された乱数Ｅ’（ＭＭｉ）として記録する手段と、
前記情報記録媒体に記録された前記２重に暗号化され符号化されたタイトル鍵情報Ｅ２’（Ｋｔｉ）と前記暗号化され符号化されたコンテンツＥ’（Ｃｏｎｔｅｎｔ）とを前記第１変調方式および前記第１誤り訂正符号化方式に対応する第１復調方式および第１誤り訂正復号化方式でそれぞれ前記２重に暗号化されたタイトル鍵情報Ｅ２（Ｋｔｉ）と前記暗号化されたコンテンツＥ（Ｃｏｎｔｅｎｔ）として再生する手段と、
前記情報記録媒体に記録された前記暗号化され符号化された乱数Ｅ’（ＭＭｉ）を前記第２変調方式および前記第２誤り訂正符号化方式に対応する第２復調方式および第２誤り訂正復号化方式で前記暗号化された乱数Ｅ（ＭＭｉ）として再生する手段と、
前記第２暗号化鍵を用いて前記暗号化された乱数Ｅ（ＭＭｉ）を解読することにより前記乱数ＭＭｉを生成する手段と、
前記乱数ＭＭｉを用いて前記２重に暗号化されたタイトル鍵情報Ｅ２（Ｋｔｉ）を解読することにより前記暗号化されたタイトル鍵情報Ｅ（Ｋｔｉ）を生成する手段と、
前記第１暗号化鍵を用いて前記暗号化されたタイトル鍵情報Ｅ（Ｋｔｉ）を解読することにより前記タイトル鍵情報Ｋｔｉを生成する手段と、
前記タイトル鍵情報Ｋｔｉを用いて前記暗号化されたコンテンツＥ（Ｃｏｎｔｅｎｔ）を解読することにより前記コンテンツ（Ｃｏｎｔｅｎｔ）を生成する手段と、
前記暗号化されたタイトル鍵情報Ｅ（Ｋｔｉ）を前記第１誤り訂正符号化方式および前記第１変調方式で前記情報記録媒体に暗号化され符号化されたタイトル鍵情報Ｅ’（Ｋｔｉ）として記録する手段と
を備えた情報記録再生装置。
【請求項１１】
前記暗号化されたタイトル鍵情報Ｅ（Ｋｔｉ）を生成する手段によって生成された前記暗号化されたタイトル鍵情報Ｅ（Ｋｔｉ）を前記第１暗号化鍵を用いて解読することにより前記タイトル鍵情報Ｋｔｉを生成する手段と、
前記第１暗号化鍵を用いて前記タイトル鍵情報Ｋｔｉを暗号化することにより前記暗号化されたタイトル鍵情報Ｅ（Ｋｔｉ）を生成する手段と
をさらに備えた、請求項１０に記載の情報記録再生装置。
【請求項１２】
情報記録媒体に記録されているコンテンツ（Ｃｏｎｔｅｎｔ）を再生する情報再生装置であって、
前記情報記録媒体には、暗号化され符号化されたタイトル鍵情報Ｅ’（Ｋｔｉ）と、２重に暗号化され符号化されたタイトル鍵情報Ｅ２’（Ｋｔｉ）と、暗号化され符号化された乱数Ｅ’（ＭＭｉ）と、暗号化され符号化されたコンテンツＥ’（Ｃｏｎｔｅｎｔ）が記録されており、
前記情報記録媒体に記録された前記暗号化され符号化されたタイトル鍵情報Ｅ’（Ｋｔｉ）は、第１暗号化鍵を用いてタイトル鍵情報Ｋｔｉを暗号化することにより暗号化されたタイトル鍵情報Ｅ（Ｋｔｉ）を生成し、前記暗号化されたタイトル鍵情報Ｅ（Ｋｔｉ）を第１誤り訂正符号化方式および第１変調方式で前記情報記録媒体に記録することにより得られたものであり、
前記情報記録媒体に記録された前記２重に暗号化され符号化されたタイトル鍵情報Ｅ２’（Ｋｔｉ）は、乱数ＭＭｉを用いて暗号化されたタイトル鍵情報Ｅ（Ｋｔｉ）をさらに暗号化することにより２重に暗号化されたタイトル鍵情報Ｅ２（Ｋｔｉ）を生成し、前記２重に暗号化されたタイトル鍵情報Ｅ２（Ｋｔｉ）を第１誤り訂正符号化方式および第１変調方式で前記情報記録媒体に記録することにより得られたものであり、
前記情報記録媒体に記録された前記暗号化され符号化された乱数Ｅ’（ＭＭｉ）は、第２暗号化鍵を用いて前記乱数ＭＭｉを暗号化することにより暗号化された乱数Ｅ（ＭＭｉ）を生成し、前記暗号化された乱数Ｅ（ＭＭｉ）を前記第１誤り訂正符号化方式および前記第１変調方式とは異なる第２誤り訂正符号化方式および第２変調方式で前記情報記録媒体に記録することにより得られたものであり、
前記情報記録媒体に記録された前記暗号化され符号化されたコンテンツＥ’（Ｃｏｎｔｅｎｔ）は、前記タイトル鍵情報Ｋｔｉを用いて前記コンテンツを暗号化することにより暗号化されたコンテンツＥ（Ｃｏｎｔｅｎｔ）を生成し、前記暗号化されたコンテンツＥ（Ｃｏｎｔｅｎｔ）を前記第１誤り訂正符号化方式および前記第１変調方式で前記情報記録媒体に記録することにより得られたものであり、
前記情報再生装置は、
前記情報記録媒体に記録された前記２重に暗号化され符号化されたタイトル鍵情報Ｅ２’（Ｋｔｉ）と前記暗号化され符号化されたタイトル鍵情報Ｅ’（Ｋｔｉ）と前記暗号化され符号化されたコンテンツＥ’（Ｃｏｎｔｅｎｔ）とを前記第１変調方式および前記第１誤り訂正符号化方式に対応する第１復調方式および第１誤り訂正復号化方式で再生する手段と、
前記情報記録媒体に記録された前記暗号化され符号化された乱数Ｅ’（ＭＭｉ）を前記第２変調方式および前記第２誤り訂正符号化方式に対応する第２復調方式および第２誤り訂正復号化方式で再生する手段と、
前記第２暗号化鍵を用いて前記暗号化された乱数Ｅ（ＭＭｉ）を解読することにより前記乱数ＭＭｉを生成する手段と、
前記乱数ＭＭｉを用いて前記２重に暗号化されたタイトル鍵情報Ｅ２（Ｋｔｉ）を解読することにより前記暗号化されたタイトル鍵情報Ｅ（Ｋｔｉ）を生成する手段と、
前記第１暗号化鍵を用いて前記暗号化されたタイトル鍵情報Ｅ（Ｋｔｉ）を解読することにより前記タイトル鍵情報Ｋｔｉを生成する手段と、
前記タイトル鍵情報Ｋｔｉを用いて前記暗号化されたコンテンツＥ（Ｃｏｎｔｅｎｔ）を解読することにより前記コンテンツ（Ｃｏｎｔｅｎｔ）を生成する手段と、
を備えた情報再生装置。
【請求項１３】
情報記録媒体のフォーマットを変換するフォーマット変換方法であって、
前記情報記録媒体には、暗号化され符号化されたタイトル鍵情報Ｅ’（Ｋｔｉ）が記録されており、前記情報記録媒体に記録された前記暗号化され符号化されたタイトル鍵情報Ｅ’（Ｋｔｉ）は、第１暗号化鍵を用いてタイトル鍵情報Ｋｔｉを暗号化することにより暗号化されたタイトル鍵情報Ｅ（Ｋｔｉ）を生成し、前記暗号化されたタイトル鍵情報Ｅ（Ｋｔｉ）を第１誤り訂正符号化方式および第１変調方式で前記情報記録媒体に記録することにより得られたものであり、
前記フォーマット変換方法は、
（ａ）前記情報記録媒体に記録された前記暗号化され符号化されたタイトル鍵情報Ｅ’（Ｋｔｉ）を前記第１変調方式および前記第１誤り訂正符号化方式に対応する第１復調方式および第１誤り訂正復号化方式で再生する工程と、
（ｂ）乱数ＭＭｉを用いて前記暗号化されたタイトル鍵情報Ｅ（Ｋｔｉ）をさらに暗号化することにより２重に暗号化されたタイトル鍵情報Ｅ２（Ｋｔｉ）を生成する工程と、
（ｃ）第２暗号化鍵を用いて前記乱数ＭＭｉを暗号化することにより暗号化された乱数Ｅ（ＭＭｉ）を生成する工程と、
（ｄ）前記２重に暗号化されたタイトル鍵情報Ｅ２（Ｋｔｉ）を第１誤り訂正符号化方式および第１変調方式で前記情報記録媒体に記録する工程と、
（ｅ）前記暗号化された乱数Ｅ（ＭＭｉ）を前記第１誤り訂正符号化方式および前記第１変調方式とは異なる第２誤り訂正符号化方式および第２変調方式で前記情報記録媒体に記録する工程と
を包含するフォーマット変換方法。
【請求項１４】
情報記録媒体のフォーマットを変換するフォーマット変換方法であって、
前記情報記録媒体には、２重に暗号化され符号化されたタイトル鍵情報Ｅ２’（Ｋｔｉ）と暗号化され符号化された乱数Ｅ’（ＭＭｉ）とが記録されており、前記情報記録媒体に記録された前記２重に暗号化され符号化されたタイトル鍵情報Ｅ２’（Ｋｔｉ）は、乱数ＭＭｉを用いて暗号化されたタイトル鍵情報Ｅ（Ｋｔｉ）をさらに暗号化することにより２重に暗号化されたタイトル鍵情報Ｅ２（Ｋｔｉ）を生成し、前記２重に暗号化されたタイトル鍵情報Ｅ２（Ｋｔｉ）を第１誤り訂正符号化方式および第１変調方式で前記情報記録媒体に記録することにより得られたものであり、前記情報記録媒体に記録された前記暗号化され符号化された乱数Ｅ’（ＭＭｉ）は、第２暗号化鍵を用いて前記乱数ＭＭｉを暗号化することにより暗号化された乱数Ｅ（ＭＭｉ）を生成し、暗号化された乱数Ｅ（ＭＭｉ）を前記第１誤り訂正符号化方式および前記第１変調方式とは異なる第２誤り訂正符号化方式および第２変調方式で前記情報記録媒体に記録することにより得られたものであり、
前記フォーマット変換方法は、
（ａ）前記情報記録媒体に記録された前記２重に暗号化され符号化されたタイトル鍵情報Ｅ２’（Ｋｔｉ）を前記第１変調方式および前記第１誤り訂正符号化方式に対応する第１復調方式および第１誤り訂正復号化方式で再生する工程と、
（ｂ）前記情報記録媒体に記録された前記暗号化され符号化された乱数Ｅ’（ＭＭｉ）を前記第２変調方式および前記第２誤り訂正符号化方式に対応する第２復調方式および第２誤り訂正復号化方式で再生する工程と、
（ｃ）前記第２暗号化鍵を用いて前記暗号化された乱数Ｅ（ＭＭｉ）を解読することにより乱数ＭＭｉを生成する工程と、
（ｄ）前記乱数ＭＭｉを用いて前記２重に暗号化されたタイトル鍵情報Ｅ２（Ｋｔｉ）を解読することにより暗号化されたタイトル鍵情報Ｅ（Ｋｔｉ）を生成する工程と、
（ｅ）前記暗号化されたタイトル鍵情報Ｅ（Ｋｔｉ）を前記第１誤り訂正符号化方式および前記第１変調方式で前記情報記録媒体に記録する工程と
を包含するフォーマット変換方法。
【請求項１５】
前記暗号化されたタイトル鍵情報Ｅ（Ｋｔｉ）を生成する手段によって生成された前記暗号化されたタイトル鍵情報Ｅ（Ｋｔｉ）を第１暗号化鍵を用いて解読することにより前記タイトル鍵情報Ｋｔｉを生成する工程と、
前記第１暗号化鍵を用いて前記タイトル鍵情報Ｋｔｉを暗号化することにより前記暗号化されたタイトル鍵情報Ｅ（Ｋｔｉ）を生成する工程と
をさらに包含する、請求項１４に記載のフォーマット変換方法。
【請求項１６】
情報記録媒体にコンテンツ（Ｃｏｎｔｅｎｔ）を記録し、前記記録されたコンテンツ（Ｃｏｎｔｅｎｔ）を再生する情報記録再生方法であって、
（ａ）第１暗号化鍵を用いてタイトル鍵情報Ｋｔｉを暗号化することにより暗号化されたタイトル鍵情報Ｅ（Ｋｔｉ）を生成する工程と、
（ｂ）前記タイトル鍵情報Ｋｔｉを用いて前記コンテンツを暗号化することにより暗号化されたコンテンツＥ（Ｃｏｎｔｅｎｔ）を生成する工程と、
（ｃ）前記暗号化されたタイトル鍵情報Ｅ（Ｋｔｉ）と前記暗号化されたコンテンツＥ（Ｃｏｎｔｅｎｔ）とを第１誤り訂正符号化方式および第１変調方式で前記情報記録媒体にそれぞれ暗号化され符号化されたタイトル鍵情報Ｅ’（Ｋｔｉ）と暗号化され符号化されたコンテンツＥ’（Ｃｏｎｔｅｎｔ）として記録する工程と、
（ｄ）前記情報記録媒体に記録された前記暗号化され符号化されたタイトル鍵情報Ｅ’（Ｋｔｉ）と前記暗号化され符号化されたコンテンツＥ’（Ｃｏｎｔｅｎｔ）とを前記第１変調方式および前記第１誤り訂正符号化方式に対応する第１復調方式および第１誤り訂正復号化方式で再生する工程と、
（ｅ）前記第１暗号化鍵を用いて前記暗号化されたタイトル鍵情報Ｅ（Ｋｔｉ）を解読することにより前記タイトル鍵情報Ｋｔｉを生成する工程と、
（ｆ）前記タイトル鍵情報Ｋｔｉを用いて前記暗号化されたコンテンツＥ（Ｃｏｎｔｅｎｔ）を解読することにより前記コンテンツＣｏｎｔｅｎｔを生成する工程と、
（ｇ）乱数ＭＭｉを用いて前記暗号化されたタイトル鍵情報Ｅ（Ｋｔｉ）をさらに暗号化することにより２重に暗号化されたタイトル鍵情報Ｅ２（Ｋｔｉ）を生成する工程と、
（ｈ）第２暗号化鍵を用いて前記乱数ＭＭｉを暗号化することにより暗号化された乱数Ｅ（ＭＭｉ）を生成する工程と、
（ｉ）前記２重に暗号化されたタイトル鍵情報Ｅ２（Ｋｔｉ）を第１誤り訂正符号化方式および第１変調方式で前記情報記録媒体に２重に暗号化され符号化されたタイトル鍵情報Ｅ２’（Ｋｔｉ）として記録する工程と、
（ｊ）前記暗号化された乱数Ｅ（ＭＭｉ）を前記第１誤り訂正符号化方式および前記第１変調方式とは異なる第２誤り訂正符号化方式および第２変調方式で前記情報記録媒体に暗号化され符号化された乱数Ｅ’（ＭＭｉ）として記録する工程と
を包含する情報記録再生方法。
【請求項１７】
情報記録媒体にコンテンツ（Ｃｏｎｔｅｎｔ）を記録し、前記記録されたコンテンツ（Ｃｏｎｔｅｎｔ）を再生する情報記録再生方法であって、
（ａ）第１暗号化鍵を用いてタイトル鍵情報Ｋｔｉを暗号化することにより暗号化されたタイトル鍵情報Ｅ（Ｋｔｉ）を生成する工程と、
（ｂ）乱数ＭＭｉを用いて前記暗号化されたタイトル鍵情報Ｅ（Ｋｔｉ）をさらに暗号化することにより２重に暗号化されたタイトル鍵情報Ｅ２（Ｋｔｉ）を生成する工程と、
（ｃ）前記タイトル鍵情報Ｋｔｉを用いて前記コンテンツを暗号化することにより暗号化されたコンテンツＥ（Ｃｏｎｔｅｎｔ）を生成する工程と、
（ｄ）第２暗号化鍵を用いて前記乱数ＭＭｉを暗号化することにより暗号化された乱数Ｅ（ＭＭｉ）を生成する工程と、
（ｅ）前記２重に暗号化されたタイトル鍵情報Ｅ２（Ｋｔｉ）と前記暗号化されたコンテンツＥ（Ｃｏｎｔｅｎｔ）とを第１誤り訂正符号化方式および第１変調方式で前記情報記録媒体にそれぞれ２重に暗号化され符号化されたタイトル鍵情報Ｅ２’（Ｋｔｉ）と暗号化され符号化されたコンテンツＥ’（Ｃｏｎｔｅｎｔ）として記録する工程と、
（ｆ）前記暗号化された乱数Ｅ（ＭＭｉ）を前記第１誤り訂正符号化方式および前記第１変調方式とは異なる第２誤り訂正符号化方式および第２変調方式で前記情報記録媒体に暗号化され符号化された乱数Ｅ’（ＭＭｉ）として記録する工程と、
（ｇ）前記情報記録媒体に記録された前記２重に暗号化され符号化されたタイトル鍵情報Ｅ２’（Ｋｔｉ）と前記暗号化され符号化されたコンテンツＥ’（Ｃｏｎｔｅｎｔ）とを前記第１変調方式および前記第１誤り訂正符号化方式に対応する第１復調方式および第１誤り訂正復号化方式でそれぞれ前記２重に暗号化されたタイトル鍵情報Ｅ２（Ｋｔｉ）と前記暗号化されたコンテンツＥ（Ｃｏｎｔｅｎｔ）として再生する工程と、
（ｈ）前記情報記録媒体に記録された前記暗号化され符号化された乱数Ｅ’（ＭＭｉ）を前記第２変調方式および前記第２誤り訂正符号化方式に対応する第２復調方式および第２誤り訂正復号化方式で前記暗号化された乱数Ｅ（ＭＭｉ）として再生する工程と、
（ｉ）前記第２暗号化鍵を用いて前記暗号化された乱数Ｅ（ＭＭｉ）を解読することにより前記乱数ＭＭｉを生成する工程と、
（ｊ）前記乱数ＭＭｉを用いて前記２重に暗号化されたタイトル鍵情報Ｅ２（Ｋｔｉ）を解読することにより前記暗号化されたタイトル鍵情報Ｅ（Ｋｔｉ）を生成する工程と、
（ｋ）前記第１暗号化鍵を用いて前記暗号化されたタイトル鍵情報Ｅ（Ｋｔｉ）を解読することにより前記タイトル鍵情報Ｋｔｉを生成する工程と、
（ｌ）前記タイトル鍵情報Ｋｔｉを用いて前記暗号化されたコンテンツＥ（Ｃｏｎｔｅｎｔ）を解読することにより前記コンテンツ（Ｃｏｎｔｅｎｔ）を生成する工程と、
（ｍ）前記暗号化されたタイトル鍵情報Ｅ（Ｋｔｉ）を前記第１誤り訂正符号化方式および前記第１変調方式で前記情報記録媒体に暗号化され符号化されたタイトル鍵情報Ｅ’（Ｋｔｉ）として記録する工程と
を包含する情報記録再生方法。
【請求項１８】
前記暗号化されたタイトル鍵情報Ｅ（Ｋｔｉ）を生成する手段によって生成された前記暗号化されたタイトル鍵情報Ｅ（Ｋｔｉ）を前記第１暗号化鍵を用いて解読することにより前記タイトル鍵情報Ｋｔｉを生成する工程と、
前記第１暗号化鍵を用いて前記タイトル鍵情報Ｋｔｉを暗号化することにより前記暗号化されたタイトル鍵情報Ｅ（Ｋｔｉ）を生成する工程と
をさらに包含する、請求項１７に記載の情報記録再生方法。
【請求項１９】
情報記録媒体に記録されているコンテンツ（Ｃｏｎｔｅｎｔ）を再生する情報再生方法であって、
前記情報記録媒体には、暗号化され符号化されたタイトル鍵情報Ｅ’（Ｋｔｉ）と、２重に暗号化され符号化されたタイトル鍵情報Ｅ２’（Ｋｔｉ）と、暗号化され符号化された乱数Ｅ’（ＭＭｉ）と、暗号化され符号化されたコンテンツＥ’（Ｃｏｎｔｅｎｔ）とが記録されており、
前記情報記録媒体に記録された前記暗号化され符号化されたタイトル鍵情報Ｅ’（Ｋｔｉ）は、第１暗号化鍵を用いてタイトル鍵情報Ｋｔｉを暗号化することにより暗号化されたタイトル鍵情報Ｅ（Ｋｔｉ）を生成し、前記暗号化されたタイトル鍵情報Ｅ（Ｋｔｉ）を第１誤り訂正符号化方式および第１変調方式で前記情報記録媒体に記録することにより得られたものであり、
前記情報記録媒体に記録された前記２重に暗号化され符号化されたタイトル鍵情報Ｅ２’（Ｋｔｉ）は、乱数ＭＭｉを用いて前記暗号化されたタイトル鍵情報Ｅ（Ｋｔｉ）をさらに暗号化することにより前記２重に暗号化されたタイトル鍵情報Ｅ２（Ｋｔｉ）を生成し、前記２重に暗号化されたタイトル鍵情報Ｅ２（Ｋｔｉ）を前記第１誤り訂正符号化方式および前記第１変調方式で前記情報記録媒体に記録することにより得られたものであり、
前記情報記録媒体に記録された前記暗号化され符号化された乱数Ｅ’（ＭＭｉ）は、第２暗号化鍵を用いて前記乱数ＭＭｉを暗号化することにより暗号化された乱数Ｅ（ＭＭｉ）を生成し、前記暗号化された乱数Ｅ（ＭＭｉ）を前記第１誤り訂正符号化方式および前記第１変調方式とは異なる第２誤り訂正符号化方式および第２変調方式で前記情報記録媒体に記録することにより得られたものであり、
前記情報記録媒体に記録された前記暗号化され符号化されたコンテンツＥ’（Ｃｏｎｔｅｎｔ）は、前記タイトル鍵情報Ｋｔｉを用いて前記コンテンツを暗号化することにより暗号化されたコンテンツＥ（Ｃｏｎｔｅｎｔ）を生成し、前記暗号化されたコンテンツＥ（Ｃｏｎｔｅｎｔ）を前記第１誤り訂正符号化方式および前記第１変調方式で前記情報記録媒体に記録することにより得られたものであり、
前記情報再生方法は、
（ａ）前記情報記録媒体に記録された前記２重に暗号化され符号化されたタイトル鍵情報Ｅ２’（Ｋｔｉ）と前記暗号化され符号化されたタイトル鍵情報Ｅ’（Ｋｔｉ）と前記暗号化され符号化されたコンテンツＥ’（Ｃｏｎｔｅｎｔ）とを前記第１変調方式および前記第１誤り訂正符号化方式に対応する第１復調方式および第１誤り訂正復号化方式でそれぞれ前記２重に暗号化されたタイトル鍵情報Ｅ２（Ｋｔｉ）と前記暗号化されたタイトル鍵情報Ｅ（Ｋｔｉ）と前記暗号化されたコンテンツＥ（Ｃｏｎｔｅｎｔ）として再生する工程と、
（ｂ）前記情報記録媒体に記録された前記暗号化され符号化された乱数Ｅ’（ＭＭｉ）を前記第２変調方式および前記第２誤り訂正符号化方式に対応する第２復調方式および第２誤り訂正復号化方式で前記暗号化された乱数Ｅ（ＭＭｉ）として再生する工程と、
（ｃ）前記第２暗号化鍵を用いて前記暗号化された乱数Ｅ（ＭＭｉ）を解読することにより前記乱数ＭＭｉを生成する工程と、
（ｄ）前記乱数ＭＭｉを用いて前記２重に暗号化されたタイトル鍵情報Ｅ２（Ｋｔｉ）を解読することにより前記暗号化されたタイトル鍵情報Ｅ（Ｋｔｉ）を生成する工程と、
（ｅ）前記第１暗号化鍵を用いて前記暗号化されたタイトル鍵情報Ｅ（Ｋｔｉ）を解読することにより前記タイトル鍵情報Ｋｔｉを生成する工程と、
（ｆ）前記タイトル鍵情報Ｋｔｉを用いて前記暗号化されたコンテンツＥ（Ｃｏｎｔｅｎｔ）を解読することにより前記コンテンツ（Ｃｏｎｔｅｎｔ）を生成する工程と
を包含する情報再生方法。
【発明の詳細な説明】
【技術分野】
【０００１】
本発明は、情報記録媒体のフォーマットを変換するフォーマット変換装置およびフォーマットを変換するフォーマット変換装置を備えた情報記録再生装置、情報記録媒体のフォーマットを変換するフォーマット変換方法およびフォーマットを変換する工程を包含する情報記録再生方法、並びに、情報再生装置および情報再生方法に関する。
【背景技術】
【０００２】
データへの不正アクセスやデータの不正コピーを防止するために、情報記録媒体に記録されているデータの機密性の確保や情報記録媒体に記録されるデータの暗号化が行われる。
【０００３】
例えば、特定のセクタには、鍵情報が特定の変調方式で記録される。この鍵情報は、他のセクタに記録されている暗号化されたデータを正確に解読し、データを生成するために用いられる。したがって、この鍵情報を解読した場合のみ、他のセクタに記録されている暗号化されたデータが正確に解読され、データが生成される（特許文献１参照）。
【０００４】
近年は、コンテンツを示すデータを移動元である特定の媒体から移動先の媒体へ移動する場合には、Ｍｏｖｅと称するデータの移動方法が用いられる。Ｍｏｖｅが用いられる場合には、コンテンツを示すデータが移動元である特定の媒体から移動先の媒体へ移動された後、コンテンツを示すデータは移動元である特定の媒体から削除される。Ｍｏｖｅは、コンテンツを示すデータが移動元である特定の媒体から削除されないコピーとは異なる。したがって、コンテンツを示すデータの複製を生成することなく、移動元である特定の媒体から移動先の媒体へコンテンツを示すデータを移動することができる。
【０００５】
Ｍｏｖｅ対応情報記録再生装置のみがＭｏｖｅ対応フォーマットの情報記録媒体に記録されたデータを再生することができるように、Ｍｏｖｅ対応情報記録再生装置は構成されている。不正Ｍｏｖｅを防止するためである。
【特許文献１】特開平１１−２３８３０５号公報
【発明の開示】
【発明が解決しようとする課題】
【０００６】
しかし、Ｍｏｖｅ対応情報記録再生装置のみがＭｏｖｅに対応できるようにすると、Ｍｏｖｅ対応情報記録再生装置とＭｏｖｅ非対応情報記録再生装置とが市場に存在することになる。Ｍｏｖｅ対応情報記録再生装置のみがＭｏｖｅ対応フォーマットの情報記録媒体に記録されたデータを再生できるようにすると、Ｍｏｖｅ対応フォーマットの情報記録媒体とＭｏｖｅ非対応フォーマットの情報記録媒体とが市場に存在することになる。
【０００７】
Ｍｏｖｅ非対応情報記録再生装置によって、Ｍｏｖｅ対応フォーマットの情報記録媒体に記録されたデータを再生することができない。Ｍｏｖｅ対応情報記録再生装置によって、Ｍｏｖｅ非対応フォーマットの情報記録媒体に記録されたデータを再生することができない。ただし、Ｍｏｖｅ対応情報記録再生装置がＭｏｖｅ非対応フォーマットの情報記録媒体を再生する機能をも持てばこの限りではない。
【０００８】
本発明は、上記課題に鑑みてなされたものであり、Ｍｏｖｅ非対応フォーマットの情報記録媒体をＭｏｖｅ対応フォーマットの情報記録媒体に変換するフォーマット変換装置およびフォーマット変換方法、並びに、Ｍｏｖｅ対応フォーマットの情報記録媒体をＭｏｖｅ非対応フォーマットの情報記録媒体に変換するフォーマット変換装置およびフォーマット変換方法を提供することを目的とする。
【０００９】
さらに、本発明は、情報記録媒体のフォーマットがＭｏｖｅ対応フォーマットであることを示す情報を再生し、再生されたこの情報を情報記録媒体のフォーマットがＭｏｖｅ非対応フォーマットであることを示す情報に変換して情報記録媒体に記録する情報記録再生装置および情報記録再生方法、並びに、情報再生装置および情報再生方法を提供することを目的とする。
【課題を解決するための手段】
【００１０】
本発明の装置は、情報記録媒体のフォーマットを変換するフォーマット変換装置であって、前記情報記録媒体には、暗号化され符号化されたタイトル鍵情報Ｅ’（Ｋｔｉ）が記録されており、前記情報記録媒体に記録された前記暗号化され符号化されたタイトル鍵情報Ｅ’（Ｋｔｉ）は、第１暗号化鍵を用いてタイトル鍵情報Ｋｔｉを暗号化することにより暗号化されたタイトル鍵情報Ｅ（Ｋｔｉ）を生成し、前記暗号化されたタイトル鍵情報Ｅ（Ｋｔｉ）を第１誤り訂正符号化方式および第１変調方式で前記情報記録媒体に記録することにより得られたものであり、前記フォーマット変換装置は、前記情報記録媒体に記録された前記暗号化され符号化されたタイトル鍵情報Ｅ’（Ｋｔｉ）を前記第１変調方式および前記第１誤り訂正符号化方式に対応する第１復調方式および第１誤り訂正復号化方式で再生し、前記暗号化されたタイトル鍵情報Ｅ（Ｋｔｉ）として再生する手段と、乱数ＭＭｉを用いて前記暗号化されたタイトル鍵情報Ｅ（Ｋｔｉ）をさらに暗号化することにより２重に暗号化されたタイトル鍵情報Ｅ２（Ｋｔｉ）を生成する手段と、第２暗号化鍵を用いて前記乱数ＭＭｉを暗号化することにより暗号化された乱数Ｅ（ＭＭｉ）を生成する手段と、前記２重に暗号化されたタイトル鍵情報Ｅ２（Ｋｔｉ）を第１誤り訂正符号化方式および第１変調方式で前記情報記録媒体に２重に暗号化され符号化されたタイトル鍵情報Ｅ２’（Ｋｔｉ）として記録する手段と、前記暗号化された乱数Ｅ（ＭＭｉ）を前記第１誤り訂正符号化方式および前記第１変調方式とは異なる第２誤り訂正符号化方式および第２変調方式で前記情報記録媒体に暗号化され符号化された乱数Ｅ’（ＭＭｉ）として記録する手段とを備え、これにより、上記目的を達成することができる。
【００１１】
本発明の装置は、情報記録媒体のフォーマットを変換するフォーマット変換装置であって、前記情報記録媒体には、２重に暗号化され符号化されたタイトル鍵情報Ｅ２’（Ｋｔｉ）と暗号化され符号化された乱数Ｅ’（ＭＭｉ）とが記録されており、前記情報記録媒体に記録された前記２重に暗号化され符号化されたタイトル鍵情報Ｅ２’（Ｋｔｉ）は、乱数ＭＭｉを用いて暗号化されたタイトル鍵情報Ｅ（Ｋｔｉ）をさらに暗号化することにより２重に暗号化されたタイトル鍵情報Ｅ２（Ｋｔｉ）を生成し、前記２重に暗号化されたタイトル鍵情報Ｅ２（Ｋｔｉ）を第１誤り訂正符号化方式および第１変調方式で前記情報記録媒体に記録することにより得られたものであり、前記情報記録媒体に記録された前記暗号化され符号化された乱数Ｅ’（ＭＭｉ）は、第２暗号化鍵を用いて前記乱数ＭＭｉを暗号化することにより暗号化された乱数Ｅ（ＭＭｉ）を生成し、暗号化された乱数Ｅ（ＭＭｉ）を前記第１誤り訂正符号化方式および前記第１変調方式とは異なる第２誤り訂正符号化方式および第２変調方式で前記情報記録媒体に記録することにより得られたものであり、前記フォーマット変換装置は、前記情報記録媒体に記録された前記２重に暗号化され符号化されたタイトル鍵情報Ｅ２’（Ｋｔｉ）を前記第１変調方式および前記第１誤り訂正符号化方式に対応する第１復調方式および第１誤り訂正復号化方式で再生し、前記２重に暗号化されたタイトル鍵情報Ｅ２（Ｋｔｉ）として再生する手段と、前記情報記録媒体に記録された前記暗号化され符号化された乱数Ｅ’（ＭＭｉ）を前記第２変調方式および前記第２誤り訂正符号化方式に対応する第２復調方式および第２誤り訂正復号化方式で再生し、前記暗号化された乱数Ｅ（ＭＭｉ）として再生する手段と、前記第２暗号化鍵を用いて前記暗号化された乱数Ｅ（ＭＭｉ）を解読することにより乱数ＭＭｉを生成する手段と、前記乱数ＭＭｉを用いて前記２重に暗号化されたタイトル鍵情報Ｅ２（Ｋｔｉ）を解読することにより暗号化されたタイトル鍵情報Ｅ（Ｋｔｉ）を生成する手段と、前記暗号化されたタイトル鍵情報Ｅ（Ｋｔｉ）を前記第１誤り訂正符号化方式および前記第１変調方式で前記情報記録媒体に暗号化され符号化されたタイトル鍵情報Ｅ’（Ｋｔｉ）として記録する手段とを備え、これにより、上記目的を達成することができる。
【００１２】
前記暗号化されたタイトル鍵情報Ｅ（Ｋｔｉ）を生成する手段によって生成された前記暗号化されたタイトル鍵情報Ｅ（Ｋｔｉ）を第１暗号化鍵を用いて解読することにより前記タイトル鍵情報Ｋｔｉを生成する手段と、前記第１暗号化鍵を用いて前記タイトル鍵情報Ｋｔｉを暗号化することにより前記暗号化されたタイトル鍵情報Ｅ（Ｋｔｉ）を生成する手段とをさらに備えてもよい。
【００１３】
前記２重に暗号化されたタイトル鍵情報Ｅ２（Ｋｔｉ）と前記暗号化された乱数Ｅ（ＭＭｉ）とが生成され、前記情報記録媒体に記録された後に、前記暗号化され符号化されたタイトル鍵情報Ｅ’（Ｋｔｉ）が前記情報記録媒体から消去されてもよい。
【００１４】
前記暗号化されたタイトル鍵情報Ｅ（Ｋｔｉ）が生成され、前記情報記録媒体に記録された後に、前記２重に暗号化され符号化されたタイトル鍵情報Ｅ２’（Ｋｔｉ）と前記暗号化され符号化された乱数Ｅ’（ＭＭｉ）とが前記情報記録媒体から消去されてもよい。
【００１５】
前記暗号化されたタイトル鍵情報Ｅ（Ｋｔｉ）が生成され、前記情報記録媒体に記録された後に、前記暗号化され符号化された乱数Ｅ’（ＭＭｉ）が前記情報記録媒体から消去されてもよい。
【００１６】
前記タイトル鍵情報Ｋｔｉは、前記情報記録媒体に記録されているコンテンツのＭｏｖｅを許可するか否かを示す許可・禁止情報を含んでもよい。
【００１７】
前記タイトル鍵情報Ｋｔｉは、前記情報記録媒体に記録されているコンテンツ（Ｃｏｎｔｅｎｔ）のＭｏｖｅを許可するか否かを示す許可・禁止情報を含み、前記フォーマット変換装置は、許可・禁止情報をＭｏｖｅ禁止に書き換える書き換え手段をさらに備えてもよい。
【００１８】
本発明の装置は、情報記録媒体にコンテンツ（Ｃｏｎｔｅｎｔ）を記録し、前記記録されたコンテンツ（Ｃｏｎｔｅｎｔ）を再生する情報記録再生装置であって、第１暗号化鍵を用いてタイトル鍵情報Ｋｔｉを暗号化することにより暗号化されたタイトル鍵情報Ｅ（Ｋｔｉ）を生成する手段と、前記タイトル鍵情報Ｋｔｉを用いて前記コンテンツを暗号化することにより暗号化されたコンテンツＥ（Ｃｏｎｔｅｎｔ）を生成する手段と、前記暗号化されたタイトル鍵情報Ｅ（Ｋｔｉ）と前記暗号化されたコンテンツＥ（Ｃｏｎｔｅｎｔ）とを第１誤り訂正符号化方式および第１変調方式で前記情報記録媒体にそれぞれ暗号化され符号化されたタイトル鍵情報Ｅ’（Ｋｔｉ）と暗号化され符号化されたコンテンツＥ’（Ｃｏｎｔｅｎｔ）として記録する手段と、前記情報記録媒体に記録された前記暗号化され符号化されたタイトル鍵情報Ｅ’（Ｋｔｉ）と前記暗号化され符号化されたコンテンツＥ’（Ｃｏｎｔｅｎｔ）とを前記第１変調方式および前記第１誤り訂正符号化方式に対応する第１復調方式および第１誤り訂正復号化方式でそれぞれ前記暗号化されたタイトル鍵情報Ｅ（Ｋｔｉ）と前記暗号化されたコンテンツＥ（Ｃｏｎｔｅｎｔ）として再生する手段と、前記第１暗号化鍵を用いて前記暗号化されたタイトル鍵情報Ｅ（Ｋｔｉ）を解読することにより前記タイトル鍵情報Ｋｔｉを生成する手段と、前記タイトル鍵情報Ｋｔｉを用いて前記暗号化されたコンテンツＥ（Ｃｏｎｔｅｎｔ）を解読することにより前記コンテンツ（Ｃｏｎｔｅｎｔ）を生成する手段と、乱数ＭＭｉを用いて前記暗号化されたタイトル鍵情報Ｅ（Ｋｔｉ）をさらに暗号化することにより２重に暗号化されたタイトル鍵情報Ｅ２（Ｋｔｉ）を生成する手段と、第２暗号化鍵を用いて前記乱数ＭＭｉを暗号化することにより暗号化された乱数Ｅ（ＭＭｉ）を生成する手段と、前記２重に暗号化されたタイトル鍵情報Ｅ２（Ｋｔｉ）を第１誤り訂正符号化方式および第１変調方式で前記情報記録媒体に２重に暗号化され符号化されたタイトル鍵情報Ｅ２’（Ｋｔｉ）として記録する手段と、前記暗号化された乱数Ｅ（ＭＭｉ）を前記第１誤り訂正符号化方式および前記第１変調方式とは異なる第２誤り訂正符号化方式および第２変調方式で暗号化され符号化された乱数Ｅ’（ＭＭｉ）として前記情報記録媒体に記録する手段とを備え、これにより、上記目的を達成することができる。
【００１９】
本発明の装置は、情報記録媒体にコンテンツ（Ｃｏｎｔｅｎｔ）を記録し、前記記録されたコンテンツ（Ｃｏｎｔｅｎｔ）を再生する情報記録再生装置であって、第１暗号化鍵を用いてタイトル鍵情報Ｋｔｉを暗号化することにより暗号化されたタイトル鍵情報Ｅ（Ｋｔｉ）を生成する手段と、乱数ＭＭｉを用いて前記暗号化されたタイトル鍵情報Ｅ（Ｋｔｉ）をさらに暗号化することにより２重に暗号化されたタイトル鍵情報Ｅ２（Ｋｔｉ）を生成する手段と、前記タイトル鍵情報Ｋｔｉを用いて前記コンテンツを暗号化することにより暗号化されたコンテンツＥ（Ｃｏｎｔｅｎｔ）を生成する手段と、第２暗号化鍵を用いて前記乱数ＭＭｉを暗号化することにより暗号化された乱数Ｅ（ＭＭｉ）を生成する手段と、前記２重に暗号化されたタイトル鍵情報Ｅ２（Ｋｔｉ）と前記暗号化されたコンテンツＥ（Ｃｏｎｔｅｎｔ）とを第１誤り訂正符号化方式および第１変調方式で前記情報記録媒体にそれぞれ２重に暗号化され符号化されたタイトル鍵情報Ｅ２’（Ｋｔｉ）と暗号化され符号化されたコンテンツＥ’（Ｃｏｎｔｅｎｔ）として記録する手段と、前記暗号化された乱数Ｅ（ＭＭｉ）を前記第１誤り訂正符号化方式および前記第１変調方式とは異なる第２誤り訂正符号化方式および第２変調方式で前記情報記録媒体に暗号化され符号化された乱数Ｅ’（ＭＭｉ）として記録する手段と、前記情報記録媒体に記録された前記２重に暗号化され符号化されたタイトル鍵情報Ｅ２’（Ｋｔｉ）と前記暗号化され符号化されたコンテンツＥ’（Ｃｏｎｔｅｎｔ）とを前記第１変調方式および前記第１誤り訂正符号化方式に対応する第１復調方式および第１誤り訂正復号化方式でそれぞれ前記２重に暗号化されたタイトル鍵情報Ｅ２（Ｋｔｉ）と前記暗号化されたコンテンツＥ（Ｃｏｎｔｅｎｔ）として再生する手段と、前記情報記録媒体に記録された前記暗号化され符号化された乱数Ｅ’（ＭＭｉ）を前記第２変調方式および前記第２誤り訂正符号化方式に対応する第２復調方式および第２誤り訂正復号化方式で前記暗号化された乱数Ｅ（ＭＭｉ）として再生する手段と、前記第２暗号化鍵を用いて前記暗号化された乱数Ｅ（ＭＭｉ）を解読することにより前記乱数ＭＭｉを生成する手段と、前記乱数ＭＭｉを用いて前記２重に暗号化されたタイトル鍵情報Ｅ２（Ｋｔｉ）を解読することにより前記暗号化されたタイトル鍵情報Ｅ（Ｋｔｉ）を生成する手段と、前記第１暗号化鍵を用いて前記暗号化されたタイトル鍵情報Ｅ（Ｋｔｉ）を解読することにより前記タイトル鍵情報Ｋｔｉを生成する手段と、前記タイトル鍵情報Ｋｔｉを用いて前記暗号化されたコンテンツＥ（Ｃｏｎｔｅｎｔ）を解読することにより前記コンテンツ（Ｃｏｎｔｅｎｔ）を生成する手段と、前記暗号化されたタイトル鍵情報Ｅ（Ｋｔｉ）を前記第１誤り訂正符号化方式および前記第１変調方式で前記情報記録媒体に暗号化され符号化されたタイトル鍵情報Ｅ’（Ｋｔｉ）として記録する手段とを備え、これにより、上記目的を達成することができる。
【００２０】
前記暗号化されたタイトル鍵情報Ｅ（Ｋｔｉ）を生成する手段によって生成された前記暗号化されたタイトル鍵情報Ｅ（Ｋｔｉ）を前記第１暗号化鍵を用いて解読することにより前記タイトル鍵情報Ｋｔｉを生成する手段と、前記第１暗号化鍵を用いて前記タイトル鍵情報Ｋｔｉを暗号化することにより前記暗号化されたタイトル鍵情報Ｅ（Ｋｔｉ）を生成する手段とをさらに備えてもよい。
【００２１】
本発明の装置は、情報記録媒体に記録されているコンテンツ（Ｃｏｎｔｅｎｔ）を再生する情報再生装置であって、前記情報記録媒体には、暗号化され符号化されたタイトル鍵情報Ｅ’（Ｋｔｉ）と、２重に暗号化され符号化されたタイトル鍵情報Ｅ２’（Ｋｔｉ）と、暗号化され符号化された乱数Ｅ’（ＭＭｉ）と、暗号化され符号化されたコンテンツＥ’（Ｃｏｎｔｅｎｔ）が記録されており、前記情報記録媒体に記録された前記暗号化され符号化されたタイトル鍵情報Ｅ’（Ｋｔｉ）は、第１暗号化鍵を用いてタイトル鍵情報Ｋｔｉを暗号化することにより暗号化されたタイトル鍵情報Ｅ（Ｋｔｉ）を生成し、前記暗号化されたタイトル鍵情報Ｅ（Ｋｔｉ）を第１誤り訂正符号化方式および第１変調方式で前記情報記録媒体に記録することにより得られたものであり、前記情報記録媒体に記録された前記２重に暗号化され符号化されたタイトル鍵情報Ｅ２’（Ｋｔｉ）は、乱数ＭＭｉを用いて暗号化されたタイトル鍵情報Ｅ（Ｋｔｉ）をさらに暗号化することにより２重に暗号化されたタイトル鍵情報Ｅ２（Ｋｔｉ）を生成し、前記２重に暗号化されたタイトル鍵情報Ｅ２（Ｋｔｉ）を第１誤り訂正符号化方式および第１変調方式で前記情報記録媒体に記録することにより得られたものであり、前記情報記録媒体に記録された前記暗号化され符号化された乱数Ｅ’（ＭＭｉ）は、第２暗号化鍵を用いて前記乱数ＭＭｉを暗号化することにより暗号化された乱数Ｅ（ＭＭｉ）を生成し、前記暗号化された乱数Ｅ（ＭＭｉ）を前記第１誤り訂正符号化方式および前記第１変調方式とは異なる第２誤り訂正符号化方式および第２変調方式で前記情報記録媒体に記録することにより得られたものであり、前記情報記録媒体に記録された前記暗号化され符号化されたコンテンツＥ’（Ｃｏｎｔｅｎｔ）は、前記タイトル鍵情報Ｋｔｉを用いて前記コンテンツを暗号化することにより暗号化されたコンテンツＥ（Ｃｏｎｔｅｎｔ）を生成し、前記暗号化されたコンテンツＥ（Ｃｏｎｔｅｎｔ）を前記第１誤り訂正符号化方式および前記第１変調方式で前記情報記録媒体に記録することにより得られたものであり、前記情報再生装置は、前記情報記録媒体に記録された前記２重に暗号化され符号化されたタイトル鍵情報Ｅ２’（Ｋｔｉ）と前記暗号化され符号化されたタイトル鍵情報Ｅ’（Ｋｔｉ）と前記暗号化され符号化されたコンテンツＥ’（Ｃｏｎｔｅｎｔ）とを前記第１変調方式および前記第１誤り訂正符号化方式に対応する第１復調方式および第１誤り訂正復号化方式で再生する手段と、前記情報記録媒体に記録された前記暗号化され符号化された乱数Ｅ’（ＭＭｉ）を前記第２変調方式および前記第２誤り訂正符号化方式に対応する第２復調方式および第２誤り訂正復号化方式で再生する手段と、前記第２暗号化鍵を用いて前記暗号化された乱数Ｅ（ＭＭｉ）を解読することにより前記乱数ＭＭｉを生成する手段と、前記乱数ＭＭｉを用いて前記２重に暗号化されたタイトル鍵情報Ｅ２（Ｋｔｉ）を解読することにより前記暗号化されたタイトル鍵情報Ｅ（Ｋｔｉ）を生成する手段と、前記第１暗号化鍵を用いて前記暗号化されたタイトル鍵情報Ｅ（Ｋｔｉ）を解読することにより前記タイトル鍵情報Ｋｔｉを生成する手段と、前記タイトル鍵情報Ｋｔｉを用いて前記暗号化されたコンテンツＥ（Ｃｏｎｔｅｎｔ）を解読することにより前記コンテンツ（Ｃｏｎｔｅｎｔ）を生成する手段とを備え、これにより、上記目的を達成することができる。
【００２２】
本発明の方法は、情報記録媒体のフォーマットを変換するフォーマット変換方法であって、前記情報記録媒体には、暗号化され符号化されたタイトル鍵情報Ｅ’（Ｋｔｉ）が記録されており、前記情報記録媒体に記録された前記暗号化され符号化されたタイトル鍵情報Ｅ’（Ｋｔｉ）は、第１暗号化鍵を用いてタイトル鍵情報Ｋｔｉを暗号化することにより暗号化されたタイトル鍵情報Ｅ（Ｋｔｉ）を生成し、前記暗号化されたタイトル鍵情報Ｅ（Ｋｔｉ）を第１誤り訂正符号化方式および第１変調方式で前記情報記録媒体に記録することにより得られたものであり、前記フォーマット変換方法は、ａ）前記情報記録媒体に記録された前記暗号化され符号化されたタイトル鍵情報Ｅ’（Ｋｔｉ）を前記第１変調方式および前記第１誤り訂正符号化方式に対応する第１復調方式および第１誤り訂正復号化方式で再生する工程と、（ｂ）乱数ＭＭｉを用いて前記暗号化されたタイトル鍵情報Ｅ（Ｋｔｉ）をさらに暗号化することにより２重に暗号化されたタイトル鍵情報Ｅ２（Ｋｔｉ）を生成する工程と、（ｃ）第２暗号化鍵を用いて前記乱数ＭＭｉを暗号化することにより暗号化された乱数Ｅ（ＭＭｉ）を生成する工程と、（ｄ）前記２重に暗号化されたタイトル鍵情報Ｅ２（Ｋｔｉ）を第１誤り訂正符号化方式および第１変調方式で前記情報記録媒体に記録する工程と、（ｅ）前記暗号化された乱数Ｅ（ＭＭｉ）を前記第１誤り訂正符号化方式および前記第１変調方式とは異なる第２誤り訂正符号化方式および第２変調方式で前記情報記録媒体に記録する工程とを包含し、これにより、上記目的を達成することができる。
【００２３】
本発明の方法は、情報記録媒体のフォーマットを変換するフォーマット変換方法であって、前記情報記録媒体には、２重に暗号化され符号化されたタイトル鍵情報Ｅ２’（Ｋｔｉ）と暗号化され符号化された乱数Ｅ’（ＭＭｉ）とが記録されており、前記情報記録媒体に記録された前記２重に暗号化され符号化されたタイトル鍵情報Ｅ２’（Ｋｔｉ）は、乱数ＭＭｉを用いて暗号化されたタイトル鍵情報Ｅ（Ｋｔｉ）をさらに暗号化することにより２重に暗号化されたタイトル鍵情報Ｅ２（Ｋｔｉ）を生成し、前記２重に暗号化されたタイトル鍵情報Ｅ２（Ｋｔｉ）を第１誤り訂正符号化方式および第１変調方式で前記情報記録媒体に記録することにより得られたものであり、前記情報記録媒体に記録された前記暗号化され符号化された乱数Ｅ’（ＭＭｉ）は、第２暗号化鍵を用いて前記乱数ＭＭｉを暗号化することにより暗号化された乱数Ｅ（ＭＭｉ）を生成し、暗号化された乱数Ｅ（ＭＭｉ）を前記第１誤り訂正符号化方式および前記第１変調方式とは異なる第２誤り訂正符号化方式および第２変調方式で前記情報記録媒体に記録することにより得られたものであり、前記フォーマット変換方法は、（ａ）前記情報記録媒体に記録された前記２重に暗号化され符号化されたタイトル鍵情報Ｅ２’（Ｋｔｉ）を前記第１変調方式および前記第１誤り訂正符号化方式に対応する第１復調方式および第１誤り訂正復号化方式で再生する工程と、（ｂ）前記情報記録媒体に記録された前記暗号化され符号化された乱数Ｅ’（ＭＭｉ）を前記第２変調方式および前記第２誤り訂正符号化方式に対応する第２復調方式および第２誤り訂正復号化方式で再生する工程と、（ｃ）前記第２暗号化鍵を用いて前記暗号化された乱数Ｅ（ＭＭｉ）を解読することにより乱数ＭＭｉを生成する工程と、（ｄ）前記乱数ＭＭｉを用いて前記２重に暗号化されたタイトル鍵情報Ｅ２（Ｋｔｉ）を解読することにより暗号化されたタイトル鍵情報Ｅ（Ｋｔｉ）を生成する工程と、（ｅ）前記暗号化されたタイトル鍵情報Ｅ（Ｋｔｉ）を前記第１誤り訂正符号化方式および前記第１変調方式で前記情報記録媒体に記録する工程とを包含し、これにより、上記目的を達成することができる。
【００２４】
前記暗号化されたタイトル鍵情報Ｅ（Ｋｔｉ）を生成する手段によって生成された前記暗号化されたタイトル鍵情報Ｅ（Ｋｔｉ）を第１暗号化鍵を用いて解読することにより前記タイトル鍵情報Ｋｔｉを生成する工程と、前記第１暗号化鍵を用いて前記タイトル鍵情報Ｋｔｉを暗号化することにより前記暗号化されたタイトル鍵情報Ｅ（Ｋｔｉ）を生成する工程とをさらに包含してもよい。
【００２５】
本発明の方法は、情報記録媒体にコンテンツ（Ｃｏｎｔｅｎｔ）を記録し、前記記録されたコンテンツ（Ｃｏｎｔｅｎｔ）を再生する情報記録再生方法であって、（ａ）第１暗号化鍵を用いてタイトル鍵情報Ｋｔｉを暗号化することにより暗号化されたタイトル鍵情報Ｅ（Ｋｔｉ）を生成する工程と、（ｂ）前記タイトル鍵情報Ｋｔｉを用いて前記コンテンツを暗号化することにより暗号化されたコンテンツＥ（Ｃｏｎｔｅｎｔ）を生成する工程と、（ｃ）前記暗号化されたタイトル鍵情報Ｅ（Ｋｔｉ）と前記暗号化されたコンテンツＥ（Ｃｏｎｔｅｎｔ）とを第１誤り訂正符号化方式および第１変調方式で前記情報記録媒体にそれぞれ暗号化され符号化されたタイトル鍵情報Ｅ’（Ｋｔｉ）と暗号化され符号化されたコンテンツＥ’（Ｃｏｎｔｅｎｔ）として記録する工程と、（ｄ）前記情報記録媒体に記録された前記暗号化され符号化されたタイトル鍵情報Ｅ’（Ｋｔｉ）と前記暗号化され符号化されたコンテンツＥ’（Ｃｏｎｔｅｎｔ）とを前記第１変調方式および前記第１誤り訂正符号化方式に対応する第１復調方式および第１誤り訂正復号化方式で再生する工程と、（ｅ）前記第１暗号化鍵を用いて前記暗号化されたタイトル鍵情報Ｅ（Ｋｔｉ）を解読することにより前記タイトル鍵情報Ｋｔｉを生成する工程と、（ｆ）前記タイトル鍵情報Ｋｔｉを用いて前記暗号化されたコンテンツＥ（Ｃｏｎｔｅｎｔ）を解読することにより前記コンテンツＣｏｎｔｅｎｔを生成する工程と、（ｇ）乱数ＭＭｉを用いて前記暗号化されたタイトル鍵情報Ｅ（Ｋｔｉ）をさらに暗号化することにより２重に暗号化されたタイトル鍵情報Ｅ２（Ｋｔｉ）を生成する工程と、（ｈ）第２暗号化鍵を用いて前記乱数ＭＭｉを暗号化することにより暗号化された乱数Ｅ（ＭＭｉ）を生成する工程と、（ｉ）前記２重に暗号化されたタイトル鍵情報Ｅ２（Ｋｔｉ）を第１誤り訂正符号化方式および第１変調方式で前記情報記録媒体に２重に暗号化され符号化されたタイトル鍵情報Ｅ２’（Ｋｔｉ）として記録する工程と、（ｊ）前記暗号化された乱数Ｅ（ＭＭｉ）を前記第１誤り訂正符号化方式および前記第１変調方式とは異なる第２誤り訂正符号化方式および第２変調方式で前記情報記録媒体に暗号化され符号化された乱数Ｅ’（ＭＭｉ）として記録する工程とを包含し、これにより、上記目的を達成することができる。
【００２６】
本発明の方法は、情報記録媒体にコンテンツ（Ｃｏｎｔｅｎｔ）を記録し、前記記録されたコンテンツ（Ｃｏｎｔｅｎｔ）を再生する情報記録再生方法であって、（ａ）第１暗号化鍵を用いてタイトル鍵情報Ｋｔｉを暗号化することにより暗号化されたタイトル鍵情報Ｅ（Ｋｔｉ）を生成する工程と、（ｂ）乱数ＭＭｉを用いて前記暗号化されたタイトル鍵情報Ｅ（Ｋｔｉ）をさらに暗号化することにより２重に暗号化されたタイトル鍵情報Ｅ２（Ｋｔｉ）を生成する工程と、（ｃ）前記タイトル鍵情報Ｋｔｉを用いて前記コンテンツを暗号化することにより暗号化されたコンテンツＥ（Ｃｏｎｔｅｎｔ）を生成する工程と、（ｄ）第２暗号化鍵を用いて前記乱数ＭＭｉを暗号化することにより暗号化された乱数Ｅ（ＭＭｉ）を生成する工程と、（ｅ）前記２重に暗号化されたタイトル鍵情報Ｅ２（Ｋｔｉ）と前記暗号化されたコンテンツＥ（Ｃｏｎｔｅｎｔ）とを第１誤り訂正符号化方式および第１変調方式で前記情報記録媒体にそれぞれ２重に暗号化され符号化されたタイトル鍵情報Ｅ２’（Ｋｔｉ）と暗号化され符号化されたコンテンツＥ’（Ｃｏｎｔｅｎｔ）として記録する工程と、（ｆ）前記暗号化された乱数Ｅ（ＭＭｉ）を前記第１誤り訂正符号化方式および前記第１変調方式とは異なる第２誤り訂正符号化方式および第２変調方式で前記情報記録媒体に暗号化され符号化された乱数Ｅ’（ＭＭｉ）として記録する工程と、（ｇ）前記情報記録媒体に記録された前記２重に暗号化され符号化されたタイトル鍵情報Ｅ２’（Ｋｔｉ）と前記暗号化され符号化されたコンテンツＥ’（Ｃｏｎｔｅｎｔ）とを前記第１変調方式および前記第１誤り訂正符号化方式に対応する第１復調方式および第１誤り訂正復号化方式でそれぞれ前記２重に暗号化されたタイトル鍵情報Ｅ２（Ｋｔｉ）と前記暗号化されたコンテンツＥ（Ｃｏｎｔｅｎｔ）として再生する工程と、（ｈ）前記情報記録媒体に記録された前記暗号化され符号化された乱数Ｅ’（ＭＭｉ）を前記第２変調方式および前記第２誤り訂正符号化方式に対応する第２復調方式および第２誤り訂正復号化方式で前記暗号化された乱数Ｅ（ＭＭｉ）として再生する工程と、（ｉ）前記第２暗号化鍵を用いて前記暗号化された乱数Ｅ（ＭＭｉ）を解読することにより前記乱数ＭＭｉを生成する工程と、（ｊ）前記乱数ＭＭｉを用いて前記２重に暗号化されたタイトル鍵情報Ｅ２（Ｋｔｉ）を解読することにより前記暗号化されたタイトル鍵情報Ｅ（Ｋｔｉ）を生成する工程と、（ｋ）前記第１暗号化鍵を用いて前記暗号化されたタイトル鍵情報Ｅ（Ｋｔｉ）を解読することにより前記タイトル鍵情報Ｋｔｉを生成する工程と、（ｌ）前記タイトル鍵情報Ｋｔｉを用いて前記暗号化されたコンテンツＥ（Ｃｏｎｔｅｎｔ）を解読することにより前記コンテンツ（Ｃｏｎｔｅｎｔ）を生成する工程と、（ｍ）前記暗号化されたタイトル鍵情報Ｅ（Ｋｔｉ）を前記第１誤り訂正符号化方式および前記第１変調方式で前記情報記録媒体に暗号化され符号化されたタイトル鍵情報Ｅ’（Ｋｔｉ）として記録する工程とを包含し、これにより、上記目的を達成することができる。
【００２７】
前記暗号化されたタイトル鍵情報Ｅ（Ｋｔｉ）を生成する手段によって生成された前記暗号化されたタイトル鍵情報Ｅ（Ｋｔｉ）を前記第１暗号化鍵を用いて解読することにより前記タイトル鍵情報Ｋｔｉを生成する工程と、前記第１暗号化鍵を用いて前記タイトル鍵情報Ｋｔｉを暗号化することにより前記暗号化されたタイトル鍵情報Ｅ（Ｋｔｉ）を生成する工程とをさらに包含してもよい。
【００２８】
本発明の方法は、情報記録媒体に記録されているコンテンツ（Ｃｏｎｔｅｎｔ）を再生する情報再生方法であって、前記情報記録媒体には、暗号化され符号化されたタイトル鍵情報Ｅ’（Ｋｔｉ）と、２重に暗号化され符号化されたタイトル鍵情報Ｅ２’（Ｋｔｉ）と、暗号化され符号化された乱数Ｅ’（ＭＭｉ）と、暗号化され符号化されたコンテンツＥ’（Ｃｏｎｔｅｎｔ）とが記録されており、前記情報記録媒体に記録された前記暗号化され符号化されたタイトル鍵情報Ｅ’（Ｋｔｉ）は、第１暗号化鍵を用いてタイトル鍵情報Ｋｔｉを暗号化することにより暗号化されたタイトル鍵情報Ｅ（Ｋｔｉ）を生成し、前記暗号化されたタイトル鍵情報Ｅ（Ｋｔｉ）を第１誤り訂正符号化方式および第１変調方式で前記情報記録媒体に記録することにより得られたものであり、前記情報記録媒体に記録された前記２重に暗号化され符号化されたタイトル鍵情報Ｅ２’（Ｋｔｉ）は、乱数ＭＭｉを用いて前記暗号化されたタイトル鍵情報Ｅ（Ｋｔｉ）をさらに暗号化することにより前記２重に暗号化されたタイトル鍵情報Ｅ２（Ｋｔｉ）を生成し、前記２重に暗号化されたタイトル鍵情報Ｅ２（Ｋｔｉ）を前記第１誤り訂正符号化方式および前記第１変調方式で前記情報記録媒体に記録することにより得られたものであり、前記情報記録媒体に記録された前記暗号化され符号化された乱数Ｅ’（ＭＭｉ）は、第２暗号化鍵を用いて前記乱数ＭＭｉを暗号化することにより暗号化された乱数Ｅ（ＭＭｉ）を生成し、前記暗号化された乱数Ｅ（ＭＭｉ）を前記第１誤り訂正符号化方式および前記第１変調方式とは異なる第２誤り訂正符号化方式および第２変調方式で前記情報記録媒体に記録することにより得られたものであり、前記情報記録媒体に記録された前記暗号化され符号化されたコンテンツＥ’（Ｃｏｎｔｅｎｔ）は、前記タイトル鍵情報Ｋｔｉを用いて前記コンテンツを暗号化することにより暗号化されたコンテンツＥ（Ｃｏｎｔｅｎｔ）を生成し、前記暗号化されたコンテンツＥ（Ｃｏｎｔｅｎｔ）を前記第１誤り訂正符号化方式および前記第１変調方式で前記情報記録媒体に記録することにより得られたものであり、前記情報再生方法は、（ａ）前記情報記録媒体に記録された前記２重に暗号化され符号化されたタイトル鍵情報Ｅ２’（Ｋｔｉ）と前記暗号化され符号化されたタイトル鍵情報Ｅ’（Ｋｔｉ）と前記暗号化され符号化されたコンテンツＥ’（Ｃｏｎｔｅｎｔ）とを前記第１変調方式および前記第１誤り訂正符号化方式に対応する第１復調方式および第１誤り訂正復号化方式でそれぞれ前記２重に暗号化されたタイトル鍵情報Ｅ２（Ｋｔｉ）と前記暗号化されたタイトル鍵情報Ｅ（Ｋｔｉ）と前記暗号化されたコンテンツＥ（Ｃｏｎｔｅｎｔ）として再生する工程と、（ｂ）前記情報記録媒体に記録された前記暗号化され符号化された乱数Ｅ’（ＭＭｉ）を前記第２変調方式および前記第２誤り訂正符号化方式に対応する第２復調方式および第２誤り訂正復号化方式で前記暗号化された乱数Ｅ（ＭＭｉ）として再生する工程と、（ｃ）前記第２暗号化鍵を用いて前記暗号化された乱数Ｅ（ＭＭｉ）を解読することにより前記乱数ＭＭｉを生成する工程と、（ｄ）前記乱数ＭＭｉを用いて前記２重に暗号化されたタイトル鍵情報Ｅ２（Ｋｔｉ）を解読することにより前記暗号化されたタイトル鍵情報Ｅ（Ｋｔｉ）を生成する工程と、（ｅ）前記第１暗号化鍵を用いて前記暗号化されたタイトル鍵情報Ｅ（Ｋｔｉ）を解読することにより前記タイトル鍵情報Ｋｔｉを生成する工程と、（ｆ）前記タイトル鍵情報Ｋｔｉを用いて前記暗号化されたコンテンツＥ（Ｃｏｎｔｅｎｔ）を解読することにより前記コンテンツ（Ｃｏｎｔｅｎｔ）を生成する工程とを包含し、これにより、上記目的を達成することができる。
【発明の効果】
【００２９】
本発明の情報記録再生装置は、情報記録媒体から再生された暗号化されたタイトル鍵情報Ｅ（Ｋｔｉ）と乱数と第２暗号化鍵とに基づいて２重に暗号化されたタイトル鍵情報Ｅ２（Ｋｔｉ）と暗号化された乱数Ｅ（ＭＭｉ）とを生成し、情報記録媒体に記録することによって、情報記録媒体のフォーマットをＭｏｖｅ非対応フォーマットからＭｏｖｅ対応フォーマットに変換する。その結果、Ｍｏｖｅ非対応記録再生装置でＭｏｖｅ非対応フォーマットとして作成された情報記録媒体をＭｏｖｅ対応記録再生装置で再生およびＭｏｖｅできる様に、データの一部を変換、あるいは削除したＭｏｖｅ対応フォーマットの情報記録媒体を作成できる。
【００３０】
さらに、本発明の情報記録再生装置は、情報記録媒体から再生された２重に暗号化されたタイトル鍵情報Ｅ２（Ｋｔｉ）と乱数とに基づいて暗号化されたタイトル鍵情報Ｅ（Ｋｔｉ）を生成し、情報記録媒体に記録することによって、情報記録媒体のフォーマットをＭｏｖｅ対応フォーマットからＭｏｖｅ非対応フォーマットに変換する。その結果、Ｍｏｖｅ対応記録再生装置でＭｏｖｅ対応フォーマットとして作成された情報記録媒体をＭｏｖｅ非対応記録再生装置で再生できる様に、データの一部を変換、あるいは削除したＭｏｖｅ非対応フォーマットの情報記録媒体を作成できる。
【発明を実施するための最良の形態】
【００３１】
（実施の形態１）
図１は、本発明の実施の形態１の情報記録再生装置１００の構成を示す。
【００３２】
情報記録再生装置１００は、コンテンツが入力されるコンテンツ入力端子１０２と、タイトル鍵を発生するタイトル鍵発生器１０３と、入力されたデータを暗号化する第１暗号器１０４と第２暗号器１０６と、第１暗号化鍵を発生する第１暗号化鍵発生器１０５とを含む。
【００３３】
情報記録再生装置１００は、第１誤り訂正符号化器１０７と、第１変調器１０８と、記録ヘッド１０９とをさらに含む。第１誤り訂正符号化器１０７と第１変調器１０８と記録ヘッド１０９とは、入力されたデータを第１誤り訂正符号化方式および第１変調方式で情報記録媒体１０１に記録する。
【００３４】
情報記録再生装置１００は、コンテンツ入力端子１０２と、タイトル鍵発生器１０３と、第１暗号器１０４と、第１暗号化鍵発生器１０５と、第２暗号器１０６と、第１誤り訂正符号化器１０７と、第１変調器１０８と、記録ヘッド１０９とによって、情報記録再生装置１００の外部から入力されるコンテンツを暗号化し、暗号化されたコンテンツを情報記録媒体１０１に記録する。
【００３５】
図２は、情報記録再生装置１００を用いて情報記録媒体１０１にコンテンツを記録する手順を示すフローチャートである。
【００３６】
以下、図２を参照して情報記録媒体１０１にコンテンツを記録する処理手順をステップごとに説明する。なお、情報記録媒体１０１には、情報記録媒体が情報記録媒体１０１であることを示す情報記録媒体固有情報が記録されている。
【００３７】
ステップＳ２０１：コンテンツ入力端子１０２には、コンテンツが入力される。コンテンツは、例えばデジタル化された音楽信号である。
【００３８】
ステップＳ２０２：タイトル鍵発生器１０３は、タイトル鍵情報Ｋｔｉを発生し、第１暗号器１０４と第２暗号器１０６とに出力する。タイトル鍵情報Ｋｔｉは、タイトル鍵およびその付随情報である。タイトル鍵には、コンテンツのタイトルに関する情報が含まれ、タイトル鍵の付随情報には、Ｃｏｐｙを許可するか否かを示す許可・禁止情報、Ｍｏｖｅを許可するか否かを示す許可・禁止情報などが含まれる。Ｍｏｖｅは、ＳＤＭＩ  ＰＤ  Ｓｐｅｃｉｆｉｃａｔｉｏｎ  Ｐａｒｔ１  Ｖｅｒｓｉｏｎ１．０で定義される。Ｍｏｖｅを禁止するために、許可・禁止情報は、Ｍｏｖｅ不許可（Ｍｏｖｅ禁止）を示す。
【００３９】
タイトル鍵情報Ｋｔｉが第１暗号器１０４と第２暗号器１０６とに出力された後、処理は、ステップＳ２０３に進む。
【００４０】
ステップＳ２０３：第１暗号化鍵発生器１０５は、情報記録媒体１０１に記録されている情報記録媒体固有情報に基づいて第１暗号化鍵を発生し、第１暗号器１０４に出力する。第１暗号化鍵が第１暗号器１０４に出力された後、処理は、ステップＳ２０４に進む。
【００４１】
ステップＳ２０４：第１暗号器１０４は、第１暗号化鍵を用いてタイトル鍵情報Ｋｔｉを暗号化し、暗号化されたタイトル鍵情報Ｅ（Ｋｔｉ）を生成する。暗号化されたタイトル鍵情報Ｅ（Ｋｔｉ）は、第１誤り訂正符号化器１０７に出力される。暗号化されたタイトル鍵情報Ｅ（Ｋｔｉ）が第１誤り訂正符号化器１０７に出力された後、処理は、ステップＳ２０５に進む。
【００４２】
ステップＳ２０５：暗号化されたタイトル鍵情報Ｅ（Ｋｔｉ）は、第１誤り訂正符号化器１０７と第１変調器１０８とを介して、第１誤り訂正符号化方式および第１変調方式で情報記録媒体１０１に暗号化され符号化されたタイトル鍵情報Ｅ’（Ｋｔｉ）として記録される。情報記録媒体１０１への記録は、記録ヘッド１０９を用いて行われる。
【００４３】
ステップＳ２０６：第２暗号器１０６は、タイトル鍵情報Ｋｔｉを用いてコンテンツを暗号化し、暗号化されたコンテンツＥ（Ｃｏｎｔｅｎｔ）を生成する。暗号化されたコンテンツＥ（Ｃｏｎｔｅｎｔ）は、第１誤り訂正符号化器１０７に出力される。暗号化されたコンテンツＥ（Ｃｏｎｔｅｎｔ）が第１誤り訂正符号化器１０７に出力された後、処理は、ステップＳ２０７に進む。
【００４４】
ステップＳ２０７：暗号化されたコンテンツＥ（Ｃｏｎｔｅｎｔ）は、第１誤り訂正符号化器１０７と第１変調器１０８とを介して、第１誤り訂正符号化方式および第１変調方式で情報記録媒体１０１に暗号化され符号化されたコンテンツＥ’（Ｃｏｎｔｅｎｔ）として記録される。情報記録媒体１０１への記録は、記録ヘッド１０９を用いて行われる。
【００４５】
図１を再び参照して、情報記録媒体１００の構成を説明する。
【００４６】
情報記録再生装置１００は、再生ヘッド１１２と、第１復調器１１３と、第１誤り訂正復号化器１１４とをさらに含む。再生ヘッド１１２と第１復調器１１３と第１誤り訂正復号化器１１４とは、情報記録媒体１０１に記録されているデータを第１復調方式および第１誤り訂正復号化方式で情報記録媒体１０１から再生する。
【００４７】
情報記録再生装置１００は、入力されたデータを解読する第１解読器１１５と第２解読器１１６とをさらに含む。
【００４８】
情報記録再生装置１００は、再生ヘッド１１２と、第１復調器１１３と、第１誤り訂正復号化器１１４と、第１解読器１１５と、第２解読器１１６とによって、情報記録媒体１０１に記録されている暗号化されたコンテンツを解読し、コンテンツを生成する。
【００４９】
図３は、情報記録再生装置１００を用いて情報記録媒体１０１から暗号化されたコンテンツを再生する手順を示すフローチャートである。
【００５０】
以下、図３を参照して情報記録媒体１０１から暗号化されたコンテンツを再生する処理手順をステップごとに説明する。なお、情報記録媒体１０１には、暗号化され符号化されたタイトル鍵情報Ｅ’（Ｋｔｉ）と暗号化され符号化されたコンテンツＥ’（Ｃｏｎｔｅｎｔ）とが記録されている。
【００５１】
ステップＳ３０１：情報記録媒体に記録された暗号化され符号化されたタイトル鍵情報Ｅ’（Ｋｔｉ）と暗号化され符号化されたコンテンツＥ’（Ｃｏｎｔｅｎｔ）とは、第１復調器１１３と、第１誤り訂正復号化器１１４とを介して、第１復調方式および第１誤り訂正復号化方式で再生される。第１復調方式および第１誤り訂正復号化方式は、第１変調方式および第１誤り訂正符号化方式に対応する。情報記録媒体１０１からの再生は、再生ヘッド１１２を用いて行われる。暗号化されたタイトル鍵情報Ｅ（Ｋｔｉ）は、第１解読器１１５に出力される。暗号化されたコンテンツＥ（Ｃｏｎｔｅｎｔ）は、第２解読器１１６に出力される。
【００５２】
ステップＳ３０２：第１解読器１１５は、暗号化されたタイトル鍵情報Ｅ（Ｋｔｉ）を第１暗号化鍵を用いて解読し、タイトル鍵情報Ｋｔｉを生成する。タイトル鍵情報Ｋｔｉは、第２解読器１１６に出力される。タイトル鍵情報Ｋｔｉが第２解読器１１６に出力された後、処理は、ステップＳ３０３に進む。
【００５３】
ステップＳ３０３：第２解読器１１６は、暗号化されたコンテンツＥ（Ｃｏｎｔｅｎｔ）をタイトル鍵情報Ｋｔｉを用いて解読し、コンテンツ（Ｃｏｎｔｅｎｔ）を生成する。
【００５４】
図１を再び参照して、情報記録媒体１００の構成を説明する。
【００５５】
情報記録再生装置１００は、入力されたデータを暗号化する第３暗号器１１７と第４暗号器１２０と、乱数を発生する乱数発生器１１８と、第２暗号化鍵を発生する第２暗号化鍵発生器１１９とをさらに含む。
【００５６】
情報記録再生装置１００は、第２誤り訂正符号化器１２１と、第２変調器１２２とをさらに含む。第２誤り訂正符号化器１２１と第２変調器１２２と記録ヘッド１０９とは、入力されたデータを第２誤り訂正符号化方式および第２変調方式で情報記録媒体１０１に記録する。
【００５７】
情報記録再生装置１００は、第３暗号器１１７と、第４暗号器１２０と、乱数発生器１１８と、第２暗号化鍵発生器１１９と、第２誤り訂正符号化器１２１と、第２変調器１２２とによって、情報記録媒体１０１から再生された暗号化されたタイトル鍵情報Ｅ（Ｋｔｉ）と乱数と第２暗号化鍵とに基づいて２重に暗号化されたタイトル鍵情報Ｅ２（Ｋｔｉ）と暗号化された乱数Ｅ（ＭＭｉ）とを生成し、情報記録媒体１０１にそれぞれ２重に暗号化され符号化されたタイトル鍵情報Ｅ２’（Ｋｔｉ）と暗号化され符号化された乱数Ｅ’（ＭＭｉ）として記録する。
【００５８】
情報記録再生装置１００は、情報記録媒体１０１から再生された暗号化されたタイトル鍵情報Ｅ（Ｋｔｉ）と乱数と第２暗号化鍵とに基づいて２重に暗号化されたタイトル鍵情報Ｅ２（Ｋｔｉ）と暗号化された乱数Ｅ（ＭＭｉ）とを生成し、情報記録媒体１０１にそれぞれ２重に暗号化され符号化されたタイトル鍵情報Ｅ２’（Ｋｔｉ）と暗号化され符号化された乱数Ｅ’（ＭＭｉ）として記録することによって、情報記録媒体１０１のフォーマットをＭｏｖｅ非対応フォーマットからＭｏｖｅ対応フォーマットに変換する。
【００５９】
図４は、情報記録再生装置１００を用いて情報記録媒体１０１のフォーマットをＭｏｖｅ非対応フォーマットからＭｏｖｅ対応フォーマットに変換する手順を示すフローチャートである。
【００６０】
以下、図４を参照して情報記録媒体１０１のフォーマットをＭｏｖｅ非対応フォーマットからＭｏｖｅ対応フォーマットに変換する処理手順をステップごとに説明する。
【００６１】
ステップＳ４０１：乱数発生器１１８は、乱数ＭＭｉを発生し、第３暗号器１１７と第４暗号器１２０とに出力する。乱数ＭＭｉは、例えば、複数のタイトルの各々に割り当てられるかもしれないし、時間に応じて変化するかもしれない。
【００６２】
ステップＳ４０２：第１復調方式および第１誤り訂正復号化方式で再生された暗号化されたタイトル鍵情報Ｅ（Ｋｔｉ）は、第３暗号器１１７にも出力される。第３暗号器１１７は、暗号化されたタイトル鍵情報Ｅ（Ｋｔｉ）を乱数ＭＭｉを用いてさらに暗号化し、２重に暗号化されたタイトル鍵情報Ｅ２（Ｋｔｉ）を生成する。２重に暗号化されたタイトル鍵情報Ｅ２（Ｋｔｉ）は、第１誤り訂正符号化器１０７に出力される。
【００６３】
ステップＳ４０３：２重に暗号化されたタイトル鍵情報Ｅ２（Ｋｔｉ）は、第１誤り訂正符号化器１０７と第１変調器１０８とを介して、第１誤り訂正符号化方式および第１変調方式で情報記録媒体１０１に２重に暗号化され符号化されたタイトル鍵情報Ｅ２’（Ｋｔｉ）として記録される。情報記録媒体１０１への記録は、記録ヘッド１０９を用いて行われる。
【００６４】
ステップＳ４０４：第２暗号化鍵発生器１１９は、第２暗号化鍵を発生し、第４暗号器１２０に出力する。第２暗号化鍵が第４暗号器１２０に出力された後、処理は、ステップＳ４０５に進む。
【００６５】
ステップＳ４０５：第４暗号器１２０は、第２暗号化鍵を用いて乱数ＭＭｉを暗号化し、暗号化された乱数Ｅ（ＭＭｉ）を生成する。暗号化された乱数Ｅ（ＭＭｉ）は、第２誤り訂正符号化器１２１に出力される。
【００６６】
ステップＳ４０６：暗号化された乱数Ｅ（ＭＭｉ）は、第２誤り訂正符号化器１２１と第２変調器１２２とを介して、第２誤り訂正符号化方式および第２変調方式で情報記録媒体１０１に暗号化され符号化された乱数Ｅ’（ＭＭｉ）として記録される。情報記録媒体１０１への記録は、記録ヘッド１０９を用いて行われる。第２誤り訂正符号化方式および第２変調方式は、第１誤り訂正符号化方式および第１変調方式とは異なる。第２誤り訂正方式および第２変調方式は、一般には公開されない。
【００６７】
図１に示される実施の形態では、第１暗号器１０４が「第１暗号化鍵を用いてタイトル鍵情報Ｋｔｉを暗号化することにより暗号化されたタイトル鍵情報Ｅ（Ｋｔｉ）を生成する手段」として機能し、第２暗号器１０６が「タイトル鍵情報Ｋｔｉを用いてコンテンツを暗号化することにより暗号化されたコンテンツＥ（Ｃｏｎｔｅｎｔ）を生成する手段」として機能し、第１誤り訂正符号化器１０７と第１変調器１０８と記録ヘッド１０９とが「暗号化されたタイトル鍵情報Ｅ（Ｋｔｉ）と暗号化されたコンテンツＥ（Ｃｏｎｔｅｎｔ）とを第１誤り訂正符号化方式および第１変調方式で情報記録媒体に記録する手段」および「２重に暗号化されたタイトル鍵情報Ｅ２（Ｋｔｉ）を第１誤り訂正符号化方式および第１変調方式で情報記録媒体に記録する手段」として機能し、再生ヘッド１１２と第１復調器１１３と第１誤り訂正復号化器１１４とが「情報記録媒体に記録された暗号化され符号化されたタイトル鍵情報Ｅ’（Ｋｔｉ）と暗号化され符号化されたコンテンツＥ’（Ｃｏｎｔｅｎｔ）とを第１変調方式および第１誤り訂正符号化方式に対応する第１復調方式および第１誤り訂正復号化方式で再生する手段」として機能し、第１解読器１１５が「第１暗号化鍵を用いて暗号化されたタイトル鍵情報Ｅ（Ｋｔｉ）を解読することによりタイトル鍵情報Ｋｔｉを生成する手段」として機能し、第２解読器１１６が「タイトル鍵情報Ｋｔｉを用いて暗号化されたコンテンツＥ（Ｃｏｎｔｅｎｔ）を解読することによりコンテンツＣｏｎｔｅｎｔを生成する手段」として機能し、第３暗号器１１７が「乱数ＭＭｉを用いて暗号化されたタイトル鍵情報Ｅ（Ｋｔｉ）をさらに暗号化することにより２重に暗号化されたタイトル鍵情報Ｅ２（Ｋｔｉ）を生成する手段」として機能し、第４暗号器１２０が「第２暗号化鍵を用いて乱数ＭＭｉを暗号化することにより暗号化された乱数Ｅ（ＭＭｉ）を生成する手段」として機能し、第２誤り訂正符号化器１２１と第２変調器１２２と記録ヘッド１０９とが「暗号化された乱数Ｅ（ＭＭｉ）を第１誤り訂正符号化方式および第１変調方式とは異なる第２誤り訂正符号化方式および第２変調方式で情報記録媒体に記録する手段」として機能する。しかし、情報記録再生装置１００が図１に示されるものに限定されるわけではない。情報記録再生装置１００は、上述した各手段の機能を有する限り、任意の構成を有し得る。
【００６８】
なお、上述した実施の形態では、情報記録部分と情報再生部分とが一体になった情報記録再生装置を例にとり説明したが、情報記録部分と情報再生部分とが別々の装置に分離されていてもよい。情報記録部分と情報再生部分とが一体であることに限定されない。情報記録部分と情報再生部分とが一体でない場合には、第１暗号化鍵発生器１０５は、情報記録部分と情報再生部分との双方に含まれる。さらに第１暗号化鍵を発生するアルゴリズムは情報記録部分と情報再生部分との双方で同じである。さらに情報記録部分と情報再生部分との双方で同じ情報記録媒体固有情報に基づいて第１暗号化鍵が発生される。
【００６９】
なお、本発明の実施の形態１の情報記録再生装置１００によって、情報記録媒体１０１のフォーマットをＭｏｖｅ非対応フォーマットからＭｏｖｅ対応フォーマットに変換された後、情報記録媒体１０１に記録されている暗号化され符号化されたタイトル鍵Ｅ’（Ｋｔｉ）は情報記録媒体１０１から削除される。以下、その理由を説明する。
【００７０】
悪意がある情報記録媒体の使用者は、まず、第１の情報記録媒体に記録されたすべての情報を第２情報記録媒体にバックアップコピーする。バックアップコピーの後、第１の情報記録媒体に記録された暗号化されたコンテンツを第３の情報記録媒体にＭｏｖｅする。その後、第２の情報記録媒体にバックアップコピーされたすべての情報を第１の情報記録媒体に戻す。悪意がある情報記録媒体の使用者によって為されたこれらの一連の行為の結果、第１の情報記録媒体に戻された暗号化されたコンテンツを再生しえる場合には、悪意がある情報記録媒体の使用者によって為されたＭｏｖｅは、本来のＭｏｖｅではなくなる。Ｍｏｖｅされたはずの暗号化されたコンテンツが、まだ、第１の情報記録媒体に存在するからである。
【００７１】
悪意がある情報記録媒体の使用者がＭｏｖｅ非対応装置（例えばＰＣ）を用いて上述の一連の行為を行った場合には、暗号化された乱数Ｅ（ＭＭｉ）をバックアップすることはできない。Ｍｏｖｅ非対応装置は、第２復調方式および第２誤り訂正復号方式に対応していないからである。しかし、暗号化されたタイトル鍵Ｅ（Ｋｔｉ）をバックアップ可能である。Ｍｏｖｅ非対応装置は、第１復調方式および第１誤り訂正復号方式に対応しているからである。
【００７２】
従って、情報記録媒体１０１に記録されている暗号化され符号化されたタイトル鍵Ｅ’（Ｋｔｉ）は情報記録媒体１０１から削除される。
【００７３】
本発明の情報記録再生装置は、情報記録媒体から再生された暗号化されたタイトル鍵情報Ｅ（Ｋｔｉ）と乱数と第２暗号化鍵とに基づいて２重に暗号化されたタイトル鍵情報Ｅ２（Ｋｔｉ）と暗号化された乱数Ｅ（ＭＭｉ）とを生成し、情報記録媒体に記録することによって、情報記録媒体のフォーマットをＭｏｖｅ非対応フォーマットからＭｏｖｅ対応フォーマットに変換する。その結果、Ｍｏｖｅ非対応記録再生装置でＭｏｖｅ非対応フォーマットとして作成された情報記録媒体をＭｏｖｅ対応記録再生装置で再生およびＭｏｖｅできる様に、データの一部を変換、あるいは削除したＭｏｖｅ対応フォーマットの情報記録媒体を作成できる。
【００７４】
（実施の形態２）
図５は、本発明の実施の形態２の情報記録再生装置２００の構成を示す。
【００７５】
情報記録再生装置２００は、コンテンツが入力されるコンテンツ入力端子２０２と、タイトル鍵を発生するタイトル鍵発生器２０３と、入力されたデータを暗号化する第１暗号器２０４と第２暗号器２０８と第３暗号器２０６と、第１暗号化鍵を発生する第１暗号化鍵発生器２０５と、乱数を発生する乱数発生器２０７とを含む。
【００７６】
情報記録再生装置２００は、第１誤り訂正符号化器２１１と、第１変調器２１２と、記録ヘッド２１５とをさらに含む。第１誤り訂正符号化器２１１と第１変調器２１２と記録ヘッド２１５とは、入力されたデータを第１誤り訂正符号化方式および第１変調方式で情報記録媒体２０１に記録する。
【００７７】
情報記録再生装置２００は、第２暗号化鍵を発生する第２暗号化鍵発生器２１０と、入力されたデータを暗号化する第４暗号器２０９と、第２誤り訂正符号化器２１３と、第２変調器２１４とをさらに含む。第２誤り訂正符号化器２１３と第２変調器２１４と記録ヘッド２１５とは、入力されたデータを第２誤り訂正符号化方式および第２変調方式で情報記録媒体２０１に記録する。
【００７８】
情報記録再生装置２００は、コンテンツ入力端子２０２と、タイトル鍵発生器２０３と、第１暗号器２０４と、第２暗号器２０８と、第３暗号器２０６と、第１暗号化鍵発生器２０５と、乱数発生器２０７と、第１誤り訂正符号化器２１１と、第１変調器２１２と、記録ヘッド２１５と、第２暗号化鍵発生器２１０と、第４暗号器２０９と、第２誤り訂正符号化器２１３と、第２変調器２１４とによって、情報記録再生装置２００の外部から入力されるコンテンツを暗号化し、暗号化されたコンテンツを情報記録媒体２０１に記録する。
【００７９】
図６は、情報記録再生装置２００を用いて情報記録媒体２０１にコンテンツを記録する手順を示すフローチャートである。
【００８０】
以下、図６を参照して情報記録媒体２０１にコンテンツを記録する処理手順をステップごとに説明する。なお、情報記録媒体２０１には、情報記録媒体が情報記録媒体２０１であることを示す情報記録媒体固有情報が記録されている。
【００８１】
ステップＳ６０１：コンテンツ入力端子２０２には、コンテンツが入力される。コンテンツは、例えばデジタル化された音楽信号である。
【００８２】
ステップＳ６０２：タイトル鍵発生器２０３は、タイトル鍵情報Ｋｔｉを発生し、第１暗号器２０４と第２暗号器２０８とに出力する。タイトル鍵情報Ｋｔｉは、タイトル鍵およびその付随情報である。タイトル鍵には、コンテンツのタイトルに関する情報が含まれ、タイトル鍵の付随情報には、Ｃｏｐｙを許可するか否かを示す許可・禁止情報、Ｍｏｖｅを許可するか否かを示す許可・禁止情報などが含まれる。
【００８３】
タイトル鍵情報Ｋｔｉが第１暗号器２０４と第２暗号器２０８とに出力された後、処理は、ステップＳ６０３に進む。
【００８４】
ステップＳ６０３：第１暗号化鍵発生器２０５は、情報記録媒体２０１に記録されている情報記録媒体固有情報に基づいて第１暗号化鍵を発生し、第１暗号器２０４に出力する。第１暗号化鍵が第１暗号器２０４に出力された後、処理はステップＳ６０４に進む。
【００８５】
ステップＳ６０４：第１暗号器２０４は、第１暗号化鍵を用いてタイトル鍵情報Ｋｔｉを暗号化し、暗号化されたタイトル鍵情報Ｅ（Ｋｔｉ）を生成する。暗号化されたタイトル鍵情報Ｅ（Ｋｔｉ）は、第３暗号器２０６に出力される。
【００８６】
ステップＳ６０５：乱数発生器２０７は、乱数ＭＭｉを発生し、第３暗号器２０６に出力する。乱数ＭＭｉは、例えば、複数のタイトルの各々に割り当てられるかもしれないし、、時間に応じて変化するかもしれない。
【００８７】
ステップＳ６０６：第３暗号器２０６は、暗号化されたタイトル鍵情報Ｅ（Ｋｔｉ）をさらに乱数ＭＭｉを用いて暗号化し、２重に暗号化されたタイトル鍵情報Ｅ２（Ｋｔｉ）を生成する。２重に暗号化されたタイトル鍵情報Ｅ２（Ｋｔｉ）は、第１誤り訂正符号化器２１１に出力される。
【００８８】
ステップＳ６０７：第２暗号器２０８は、タイトル鍵情報Ｋｔｉを用いてコンテンツを暗号化し、暗号化されたコンテンツＥ（Ｃｏｎｔｅｎｔ）を生成する。暗号化されたコンテンツＥ（Ｃｏｎｔｅｎｔ）は、第１誤り訂正符号化器２１１に出力される。
【００８９】
ステップＳ６０８：２重に暗号化されたタイトル鍵情報Ｅ２（Ｋｔｉ）と暗号化されたコンテンツＥ（Ｃｏｎｔｅｎｔ）とは、第１誤り訂正符号化器２１１と第１変調器２１２とを介して、第１誤り訂正符号化方式および第１変調方式で情報記録媒体２０１にそれぞれ２重に暗号化され符号化されたタイトル鍵情報Ｅ２’（Ｋｔｉ）と暗号化され符号化されたコンテンツＥ’（Ｃｏｎｔｅｎｔ）として記録される。情報記録媒体２０１への記録は、記録ヘッド２１５を用いて行われる。
【００９０】
ステップＳ６０９：第２暗号化鍵発生器２１０は、第２暗号化鍵を発生し、第４暗号器２０９に出力する。
【００９１】
ステップＳ６１０：乱数発生器２０７によって発生された乱数ＭＭｉは、第４暗号器２０９にも出力される。
【００９２】
ステップＳ６１１：第４暗号器２０９は、第２暗号化鍵を用いて乱数ＭＭｉを暗号化し、暗号化された乱数Ｅ（ＭＭｉ）を生成する。暗号化された乱数Ｅ（ＭＭｉ）が第２誤り訂正符号化器２１３に出力された後、処理は、ステップＳ６１１に進む。
【００９３】
ステップＳ６１２：暗号化された乱数Ｅ（ＭＭｉ）は、第２誤り訂正符号化器２１３と第２変調器２１４とを介して、第２誤り訂正符号化方式および第２変調方式で情報記録媒体２０１に暗号化され符号化された乱数Ｅ’（ＭＭｉ）として記録される。情報記録媒体２０１への記録は、記録ヘッド２１５を用いて行われる。第２誤り訂正符号化方式および第２変調方式は、第１誤り訂正符号化方式および第１変調方式とは異なる。第２誤り訂正符号化方式および第２変調方式は、一般には公開されない。
【００９４】
図５を再び参照して、情報記録再生装置２００の構成を説明する。
【００９５】
情報記録再生装置２００は、再生ヘッド２１９と、第２復調器２２２と、第２誤り訂正復号化器２２３とをさらに含む。再生ヘッド２１９と第２復調器２２２と第２誤り訂正復号化器２２３とは、情報記録媒体２０１に記録されているデータを第２復調方式および第２誤り訂正復号化方式で情報記録媒体２０１から再生する。
【００９６】
情報記録再生装置２００は、第２暗号化鍵を発生する第２暗号化鍵発生器２１０と、入力されたデータを解読する第４解読器２２７とをさらに含む。
【００９７】
情報記録再生装置２００は、第１復調器２２０と、第１誤り訂正復号化器２２１と、入力されたデータを解読する第１解読器２２５と第２解読器２２６と第３解読器２２４とをさらに含む。再生ヘッド２１９と第１復調器２２０と第１誤り訂正復号化器２２１とは、情報記録媒体２０１に記録されているデータを第１復調方式および第１誤り訂正復号化方式で情報記録媒体２０１から再生する。
【００９８】
情報記録再生装置２００は、再生ヘッド２１９と、第２復調器２２２と、第２誤り訂正復号化器２２３と、第２暗号化鍵発生器２１０と、第１復調器２２０と、第１誤り訂正復号化器２２１と、第１解読器２２５と、第２解読器２２６と、第３解読器２２４と、第４解読器２２７とによって、情報記録媒体２０１に記録されている暗号化されたコンテンツを解読し、コンテンツを生成する。
【００９９】
図７は、情報記録再生装置２００を用いて情報記録媒体２０１から暗号化されたコンテンツを再生する手順を示すフローチャートである。
【０１００】
以下、図７を参照して情報記録媒体２０１から暗号化されたコンテンツを再生する処理手順をステップごとに説明する。なお、情報記録媒体２０１には、暗号化され符号化された乱数Ｅ’（ＭＭｉ）と２重に暗号化され符号化されたタイトル鍵情報Ｅ２’（Ｋｔｉ）と暗号化され符号化されたコンテンツＥ’（Ｃｏｎｔｅｎｔ）とが記録されている。
【０１０１】
ステップＳ７０１：情報記録媒体に記録された暗号化され符号化された乱数Ｅ’（ＭＭｉ）は、第２復調器２２２と第２誤り訂正復号化器２２３とを介して、第２復調方式および第２誤り訂正復号化方式で情報記録媒体２０１から再生される。第２復調方式および第２誤り訂正復号化方式は、第２変調方式および第２誤り訂正符号化方式に対応する。情報記録媒体２０１からの再生は、再生ヘッド２１９を用いて行われる。暗号化された乱数Ｅ（ＭＭｉ）は、第４解読器２２７に出力される。
【０１０２】
ステップＳ７０２：第２暗号化鍵発生器２１０から発生された第２暗号化鍵は、第４解読器２２７に出力される。第４解読器２２７は、暗号化された乱数Ｅ（ＭＭｉ）を第２暗号化鍵を用いて解読し、乱数ＭＭｉを生成する。
【０１０３】
ステップＳ７０３：情報記録媒体に記録された２重に暗号化され符号化されたタイトル鍵情報Ｅ２’（Ｋｔｉ）と暗号化され符号化されたコンテンツＥ’（Ｃｏｎｔｅｎｔ）とは、第１復調器２２０と第１誤り訂正復号化器２２１とを介して、第１復調方式および第１誤り訂正復号化方式で情報記録媒体２０１から再生される。第１復調方式および第１誤り訂正復号化方式は、第１変調方式および第１誤り訂正符号化方式に対応する。情報記録媒体２０１からの再生は、再生ヘッド２１９を用いて行われる。２重に暗号化されたタイトル鍵情報Ｅ２（Ｋｔｉ）は、第３解読器２２４に出力される。暗号化されたコンテンツＥ（Ｃｏｎｔｅｎｔ）は、第２解読器２２６に出力される。
【０１０４】
ステップＳ７０４：第３解読器２２４は、２重に暗号化されたタイトル鍵情報Ｅ２（Ｋｔｉ）を第４解読器２２７によって生成された乱数ＭＭｉを用いて解読し、暗号化されたタイトル鍵情報Ｅ（Ｋｔｉ）を生成する。暗号化されたタイトル鍵情報Ｅ（Ｋｔｉ）は、第１解読器２２５に出力される。
【０１０５】
ステップＳ７０５：第１解読器２２５は、暗号化されたタイトル鍵情報Ｅ（Ｋｔｉ）を第１暗号化鍵を用いて解読し、タイトル鍵情報Ｋｔｉを生成する。タイトル鍵情報Ｋｔｉは、第２解読器２２６に出力される。
【０１０６】
ステップＳ７０６：第２解読器２２６は、暗号化されたコンテンツＥ（Ｃｏｎｔｅｎｔ）をタイトル鍵情報Ｋｔｉを用いて解読し、コンテンツ（Ｃｏｎｔｅｎｔ）を生成する。
【０１０７】
情報記録再生装置２００は、情報記録媒体２０１から再生された２重に暗号化されたタイトル鍵情報Ｅ２（Ｋｔｉ）と乱数とに基づいて暗号化されたタイトル鍵情報Ｅ（Ｋｔｉ）を生成し、情報記録媒体２０１に記録することによって、情報記録媒体２０１のフォーマットをＭｏｖｅ対応フォーマットからＭｏｖｅ非対応フォーマットに変換する。
【０１０８】
図８は、情報記録再生装置２００を用いて情報記録媒体２０１のフォーマットをＭｏｖｅ対応フォーマットからＭｏｖｅ非対応フォーマットに変換する手順を示すフローチャートである。
【０１０９】
以下、図８を参照して情報記録媒体２０１のフォーマットをＭｏｖｅ対応フォーマットからＭｏｖｅ非対応フォーマットに変換する処理手順をステップごとに説明する。
【０１１０】
ステップＳ８０１：第３解読器２２４によって生成された暗号化されたタイトル鍵情報Ｅ（Ｋｔｉ）は、直接、第１誤り訂正符号化器２１１に出力される。
【０１１１】
ステップＳ８０２：暗号化されたタイトル鍵情報Ｅ（Ｋｔｉ）は、第１誤り訂正符号化器２１１と第１変調器２１２とを介して、第１誤り訂正符号化方式および第１変調方式で情報記録媒体２０１に暗号化され符号化されたタイトル鍵情報Ｅ’（Ｋｔｉ）として記録される。情報記録媒体２０１への記録は、記録ヘッド２１５を用いて行われる。
【０１１２】
図５に示される実施の形態では、第１暗号器２０４が「第１暗号化鍵を用いてタイトル鍵情報Ｋｔｉを暗号化することにより暗号化されたタイトル鍵情報Ｅ（Ｋｔｉ）を生成する手段」として機能し、第３暗号器２０６が「乱数ＭＭｉを用いて暗号化されたタイトル鍵情報Ｅ（Ｋｔｉ）をさらに暗号化することにより２重に暗号化されたタイトル鍵情報Ｅ２（Ｋｔｉ）を生成する手段」として機能し、第２暗号器２０８が「タイトル鍵情報Ｋｔｉを用いてコンテンツを暗号化することにより暗号化されたコンテンツＥ（Ｃｏｎｔｅｎｔ）を生成する手段」として機能し、第４暗号器２０９が「第２暗号化鍵を用いて乱数ＭＭｉを暗号化することにより暗号化された乱数Ｅ（ＭＭｉ）を生成する手段」として機能し、第１誤り訂正符号化器２１１と第１変調器２１２と記録ヘッド２１５が「２重に暗号化されたタイトル鍵情報Ｅ２（Ｋｔｉ）と暗号化されたコンテンツＥ（Ｃｏｎｔｅｎｔ）とを第１誤り訂正符号化方式および第１変調方式で情報記録媒体に記録する手段」および「暗号化されたタイトル鍵情報Ｅ（Ｋｔｉ）を第１誤り訂正符号化方式および第１変調方式で情報記録媒体に記録する手段」として機能し、第２誤り訂正符号化器２１３と第２変調器２１４と記録ヘッド２１５とが「暗号化された乱数Ｅ（ＭＭｉ）を第１誤り訂正符号化方式および第１変調方式とは異なる第２誤り訂正符号化方式および第２変調方式で情報記録媒体に記録する手段」として機能し、再生ヘッド２１９と第１復調器２２０と第１誤り訂正復号化器２２１とが「情報記録媒体に記録された２重に暗号化され符号化されたタイトル鍵情報Ｅ２’（Ｋｔｉ）と暗号化され符号化されたコンテンツＥ’（Ｃｏｎｔｅｎｔ）とを第１変調方式および第１誤り訂正符号化方式に対応する第１復調方式および第１誤り訂正復号化方式で再生する手段」として機能し、再生ヘッド２１９と第２復調器２２２と第２誤り訂正復号化器２２３とが「情報記録媒体に記録された暗号化され符号化された乱数Ｅ’（ＭＭｉ）を第２変調方式および第２誤り訂正符号化方式に対応する第２復調方式および第２誤り訂正復号化方式で再生する手段」として機能し、第４解読器２２７が「第２暗号化鍵を用いて暗号化された乱数Ｅ（ＭＭｉ）を解読することにより乱数ＭＭｉを生成する手段」として機能し、第３解読器２２４が「乱数ＭＭｉを用いて２重に暗号化されたタイトル鍵情報Ｅ２（Ｋｔｉ）を解読することにより暗号化されたタイトル鍵情報Ｅ（Ｋｔｉ）を生成する手段」として機能し、第１解読器２２５が「第１暗号化鍵を用いて暗号化されたタイトル鍵情報Ｅ（Ｋｔｉ）を解読することによりタイトル鍵情報Ｋｔｉを生成する手段」として機能し、第２解読器２２６が「タイトル鍵情報Ｋｔｉを用いて暗号化されたコンテンツＥ（Ｃｏｎｔｅｎｔ）を解読することによりコンテンツ（Ｃｏｎｔｅｎｔ）を生成する手段」として機能する。しかし、情報記録再生装置２００が図５に示されるものに限定されるわけではない。情報記録再生装置２００は、上述した各手段の機能を有する限り、任意の構成を有し得る。
【０１１３】
なお、上述した実施の形態では、情報記録部分と情報再生部分とが一体になった情報記録再生装置を例にとり説明したが、情報記録部分と情報再生部分とが別々の装置に分離されていてもよい。情報記録部分と情報再生部分とが一体であることに限定されない。情報記録部分と情報再生部分とが一体でない場合には、第１暗号化鍵発生器２０５と第２暗号化鍵発生器２１０とは、情報記録部分と情報再生部分との双方に含まれる。さらに第１暗号化鍵を発生するアルゴリズムは情報記録装置と情報再生装置との双方で同じであり、第２暗号化鍵を発生するアルゴリズムは情報記録部分と情報再生部分との双方で同じである。さらに情報記録部分と情報再生部分との双方で同じ情報記録媒体固有情報に基づいて第１暗号化鍵が発生される。
【０１１４】
なお、本発明の実施の形態２の情報記録再生装置２００によって、情報記録媒体２０１のフォーマットがＭｏｖｅ対応フォーマットからＭｏｖｅ非対応フォーマットに変換された後、情報記録媒体２０１に記録されている２重に暗号化され符号化されたタイトル鍵情報Ｅ２’（Ｋｔｉ）と暗号化され符号化された乱数Ｅ’（ＭＭｉ）とは情報記録媒体２０１から削除されることが好ましい。
【０１１５】
本発明の情報記録再生装置は、情報記録媒体から再生された２重に暗号化されたタイトル鍵情報Ｅ２（Ｋｔｉ）と乱数とに基づいて暗号化されたタイトル鍵情報Ｅ（Ｋｔｉ）を生成し、情報記録媒体に記録することによって、情報記録媒体のフォーマットをＭｏｖｅ対応フォーマットからＭｏｖｅ非対応フォーマットに変換する。その結果、Ｍｏｖｅ対応記録再生装置でＭｏｖｅ対応フォーマットとして作成された情報記録媒体をＭｏｖｅ非対応記録再生装置で再生できる様に、データの一部を変換、あるいは削除したＭｏｖｅ非対応フォーマットの情報記録媒体を作成できる。一般的には、Ｍｏｖｅ対応記録再生装置は、Ｍｏｖｅ非対応情報記録媒体も再生できるように構成されるが、Ｍｏｖｅ非対応記録再生装置は、Ｍｏｖｅ対応情報記録媒体を再生できない。
【０１１６】
なお、第３解読器２２４によって生成された暗号化されたタイトル鍵情報Ｅ（Ｋｔｉ）が、直接、第１誤り訂正符号化器２１１に出力されることは必須ではない。
【０１１７】
図９は、本発明の実施の形態２の別の形態の情報記録再生装置３００の構成を示す。
【０１１８】
情報記録再生装置３００に含まれる各構成要素の機能は、（１）第３解読器２２４によって生成された暗号化されたタイトル鍵情報Ｅ（Ｋｔｉ）を第１解読器２２５によって解読することによりタイトル鍵情報Ｋｔｉを生成し、タイトル鍵情報Ｋｔｉをさらに暗号化して生成された暗号化されたタイトル鍵情報Ｅ（Ｋｔｉ）を情報記録媒体２０１に記録すること、および（２）Ｍｏｖｅ許可・禁止情報書き換え器２２８をさらに含むことを除いて、情報記録再生装置２００に含まれる各構成要素の機能と同じである。
【０１１９】
第１解読器２２５は、第３解読器２２４によって生成された暗号化されたタイトル鍵情報Ｅ（Ｋｔｉ）を第１暗号化鍵を用いて解読し、タイトル鍵情報Ｋｔｉを生成する。タイトル鍵情報Ｋｔｉは、Ｍｏｖｅ許可・禁止情報書き換え器２２８に出力される。Ｍｏｖｅ許可・禁止情報書き換え器２２８は、タイトル鍵情報Ｋｔｉに含まれるＭｏｖｅ許可・禁止情報をＭｏｖｅ禁止を示す情報に書き換える。Ｍｏｖｅ許可・禁止情報がＭｏｖｅ禁止を示す情報に書き換えられた後、タイトル鍵情報Ｋｔｉは、第１暗号器２０４に出力される。
【０１２０】
第１暗号器２０４は、タイトル鍵情報Ｋｔｉを第１暗号化鍵を用いて暗号化し、暗号化されたタイトル鍵情報Ｅ（Ｋｔｉ）を生成する。
【０１２１】
暗号化されたタイトル鍵情報Ｅ（Ｋｔｉ）は、第１誤り訂正符号化器２１１と第１変調器２１２とを介して、第１誤り訂正符号化方式および第１変調方式で情報記録媒体２０１に暗号化され符号化されたタイトル鍵情報Ｅ’（Ｋｔｉ）として記録される。情報記録媒体２０１への記録は、記録ヘッド２１５を用いて行われる。
【０１２２】
フォーマット変換時、暗号化されたタイトル鍵情報Ｅ（Ｋｔｉ）が、一度、タイトル鍵情報Ｋｔｉに解読された後で、情報記録媒体２０１に記録される。したがって、フォーマット変換前に、Ｍｏｖｅ許可・禁止情報書き換え器２２８によって、タイトル鍵情報Ｋｔｉに含まれるＭｏｖｅ許可・禁止情報はＭｏｖｅ禁止を示す情報に書き換えられた後、タイトル鍵情報Ｋｔｉは、第１暗号器２０４に出力される。
【０１２３】
（実施の形態３）
図１０は、本発明の実施の形態３の情報再生装置４００の構成を示す。
【０１２４】
情報再生装置４００は、再生ヘッド２１９と、第２復調器２２２と、第２誤り訂正復号化器２２３とを含む。再生ヘッド２１９と第２復調器２２２と第２誤り訂正復号化器２２３とは、情報記録媒体４０１に記録されているデータを第２復調方式および第２誤り訂正復号化方式で情報記録媒体４０１から再生する。
【０１２５】
情報再生装置４００は、第２暗号化鍵を発生する第２暗号化鍵発生器２１０と、入力されたデータを解読する第４解読器２２７とをさらに含む。
【０１２６】
情報再生装置４００は、第１復調器２２０と、第１誤り訂正復号化器２２１と、入力されたデータを解読する第１解読器２２５と第２解読器２２６と第３解読器２２４とをさらに含む。再生ヘッド２１９と第１復調器２２０と第１誤り訂正復号化器２２１とは、情報記録媒体４０１に記録されているデータを第１復調方式および第１誤り訂正復号化方式で情報記録媒体４０１から再生する。
【０１２７】
情報再生装置４００は、再生ヘッド２１９と、第２復調器２２２と、第２誤り訂正復号化器２２３と、第２暗号化鍵発生器２１０と、第１復調器２２０と、第１誤り訂正復号化器２２１と、第１解読器２２５と、第２解読器２２６と、第３解読器２２４と、第４解読器２２７とによって、情報記録媒体４０１に記録されている暗号化されたコンテンツを解読し、コンテンツを生成する。
【０１２８】
図１１は、情報再生装置４００を用いて情報記録媒体４０１から暗号化されたコンテンツを再生する手順を示すフローチャートである。
【０１２９】
以下、図１１を参照して情報記録媒体４０１から暗号化されたコンテンツを再生する処理手順をステップごとに説明する。なお、情報記録媒体４０１には、暗号化され符号化された乱数Ｅ’（ＭＭｉ）と２重に暗号化され符号化されたタイトル鍵情報Ｅ２’（Ｋｔｉ）と暗号化され符号化されたコンテンツＥ’（Ｃｏｎｔｅｎｔ）と暗号化され符号化されたタイトル鍵情報Ｅ’（Ｋｔｉ）とが記録されている。
【０１３０】
ステップＳ１１０１：情報記録媒体に記録された暗号化され符号化された乱数Ｅ’（ＭＭｉ）は、第２復調器２２２と第２誤り訂正復号化器２２３とを介して、第２復調方式および第２誤り訂正復号化方式で情報記録媒体２０１から再生される。第２復調方式および第２誤り訂正復号化方式は、第２変調方式および第２誤り訂正符号化方式に対応する。情報記録媒体４０１からの再生は、再生ヘッド２１９を用いて行われる。暗号化された乱数Ｅ（ＭＭｉ）は、第４解読器２２７に出力される。
【０１３１】
ステップＳ１１０２：第２暗号化鍵発生器２１０から発生された第２暗号化鍵は、第４解読器２２７に出力される。第４解読器２２７は、暗号化された乱数Ｅ（ＭＭｉ）を第２暗号化鍵を用いて解読し、乱数ＭＭｉを生成する。
【０１３２】
ステップＳ１１０３：情報記録媒体に記録された２重に暗号化され符号化されたタイトル鍵情報Ｅ２’（Ｋｔｉ）と暗号化され符号化されたコンテンツＥ’（Ｃｏｎｔｅｎｔ）と暗号化され符号化されたタイトル鍵情報Ｅ’（Ｋｔｉ）とは、第１復調器２２０と第１誤り訂正復号化器２２１とを介して、第１復調方式および第１誤り訂正復号化方式で情報記録媒体４０１から再生される。第１復調方式および第１誤り訂正復号化方式は、第１変調方式および第１誤り訂正符号化方式に対応する。情報記録媒体２０１からの再生は、再生ヘッド２１９を用いて行われる。２重に暗号化されたタイトル鍵情報Ｅ２（Ｋｔｉ）は、第３解読器２２４に出力される。暗号化されたコンテンツＥ（Ｃｏｎｔｅｎｔ）は、第２解読器２２６に出力される。暗号化されたタイトル鍵情報Ｅ（Ｋｔｉ）は、第１解読器２２５に出力される。
【０１３３】
ステップＳ１１０４：第３解読器２２４は、２重に暗号化されたタイトル鍵情報Ｅ２（Ｋｔｉ）を第４解読器２２７によって生成された乱数ＭＭｉを用いて解読し、暗号化されたタイトル鍵情報Ｅ（Ｋｔｉ）を生成する。暗号化されたタイトル鍵情報Ｅ（Ｋｔｉ）は、第１解読器２２５に出力される。
【０１３４】
ステップＳ１１０５：第１解読器２２５は、暗号化されたタイトル鍵情報Ｅ（Ｋｔｉ）を第１暗号化鍵を用いて解読し、タイトル鍵情報Ｋｔｉを生成する。タイトル鍵情報Ｋｔｉは、第２解読器２２６に出力される。
【０１３５】
ステップＳ１１０６：第２解読器２２６は、暗号化されたコンテンツＥ（Ｃｏｎｔｅｎｔ）をタイトル鍵情報Ｋｔｉを用いて解読し、コンテンツ（Ｃｏｎｔｅｎｔ）を生成する。
【産業上の利用可能性】
【０１３６】
本発明の情報記録再生装置は、情報記録媒体から再生された暗号化されたタイトル鍵情報Ｅ（Ｋｔｉ）と乱数と第２暗号化鍵とに基づいて２重に暗号化されたタイトル鍵情報Ｅ２（Ｋｔｉ）と暗号化された乱数Ｅ（ＭＭｉ）とを生成し、情報記録媒体に記録することによって、情報記録媒体のフォーマットをＭｏｖｅ非対応フォーマットからＭｏｖｅ対応フォーマットに変換する。その結果、Ｍｏｖｅ非対応記録再生装置でＭｏｖｅ非対応フォーマットとして作成された情報記録媒体をＭｏｖｅ対応記録再生装置で再生およびＭｏｖｅできる様に、データの一部を変換、あるいは削除したＭｏｖｅ対応フォーマットの情報記録媒体を作成できる。
【０１３７】
さらに、本発明の情報記録再生装置は、情報記録媒体から再生された２重に暗号化されたタイトル鍵情報Ｅ２（Ｋｔｉ）と乱数とに基づいて暗号化されたタイトル鍵情報Ｅ（Ｋｔｉ）を生成し、情報記録媒体に記録することによって、情報記録媒体のフォーマットをＭｏｖｅ対応フォーマットからＭｏｖｅ非対応フォーマットに変換する。その結果、Ｍｏｖｅ対応記録再生装置でＭｏｖｅ対応フォーマットとして作成された情報記録媒体をＭｏｖｅ非対応記録再生装置で再生できる様に、データの一部を変換、あるいは削除したＭｏｖｅ非対応フォーマットの情報記録媒体を作成できる。
【図面の簡単な説明】
【０１３８】
【図１】本発明の実施の形態１の情報記録再生装置１００の構成を示す図である。
【図２】情報記録再生装置１００を用いて情報記録媒体１０１にコンテンツを記録する手順を示すフローチャートである。
【図３】情報記録再生装置１００を用いて情報記録媒体１０１から暗号化されたコンテンツを再生する手順を示すフローチャートである。
【図４】情報記録再生装置１００を用いて情報記録媒体１０１のフォーマットをＭｏｖｅ非対応フォーマットからＭｏｖｅ対応フォーマットに変換する手順を示すフローチャートである。
【図５】本発明の実施の形態２の情報記録再生装置２００の構成を示す図である。
【図６】情報記録再生装置２００を用いて情報記録媒体２０１にコンテンツを記録する手順を示すフローチャートである。
【図７】情報記録再生装置２００を用いて情報記録媒体２０１から暗号化されたコンテンツを再生する手順を示すフローチャートである。
【図８】情報記録再生装置２００を用いて情報記録媒体２０１のフォーマットをＭｏｖｅ対応フォーマットからＭｏｖｅ非対応フォーマットに変換する手順を示すフローチャートである。
【図９】本発明の実施の形態２の別の形態の情報記録再生装置３００の構成を示す図である。
【図１０】本発明の実施の形態３の情報再生装置４００の構成を示す図である。
【図１１】情報再生装置４００を用いて情報記録媒体４０１から暗号化されたコンテンツを再生する手順を示すフローチャートである。
【符号の説明】
【０１３９】
１００  情報記録再生装置
１０１  情報記録媒体
１０２  コンテンツ入力端子
１０３  タイトル鍵発生器
１０４  第１暗号器
１０５  第１暗号化鍵発生器
１０６  第２暗号器
１０７  第１誤り訂正符号化器
１０８  第１変調器
１０９  記録ヘッド
１１２  再生ヘッド
１１３  第１復調器
１１４  第１誤り訂正復号化器
１１５  第１解読器
１１６  第２解読器
１１７  第３暗号器
１１８  乱数発生器
１１９  第２暗号化鍵発生器
１２０  第４暗号器
１２１  第２誤り訂正符号化器
１２２  第２変調器
【図１】
2004158171.tif 000003
【図２】
2004158171.tif 000004
【図３】
2004158171.tif 000005
【図４】
2004158171.tif 000006
【図５】
2004158171.tif 000007
【図６】
2004158171.tif 000008
【図７】
2004158171.tif 000009
【図８】
2004158171.tif 000010
【図９】
2004158171.tif 000011
【図１０】
2004158171.tif 000012
【図１１】
2004158171.tif 000013